(57)【特許請求の範囲】
【請求項１】
データ伝送方法であって、
端末装置は、現在の目標伝送ブロックを伝送するための変調符号化方式（ＭＣＳ）レベルを確定することと、
前記端末装置は、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定し、前記ＴＢＳマッピング関係がＭＣＳレベルとＴＢＳとのマッピング関係を含むことと、
前記端末装置は、前記目標伝送ブロックを伝送するための第２リソースパラメータと前記第１ＴＢＳとに基づき、第２ＴＢＳを確定することと、
前記端末装置は前記第２ＴＢＳに基づき、ネットワーク機器へ前記目標伝送ブロックを送信し、又は前記ネットワーク機器が前記第２ＴＢＳに基づいて送信した前記目標伝送ブロックを受信することと、を含み、
前記端末装置が前記目標伝送ブロックを伝送するための第２リソースパラメータと前記第１ＴＢＳとに基づき、前記第２ＴＢＳを確定することは、
前記端末装置は、前記第２リソースパラメータ及び前記第１ＴＢＳに基づき、第３ＴＢＳを確定することと、
前記端末装置は、前記第３ＴＢＳ以上であり、且つプリセット値の整数倍に等しいＴＢＳから、最小のＴＢＳを前記第２ＴＢＳとして確定することと、を含むことを特徴とする
データ伝送方法。
【請求項２】
前記第１リソースパラメータは、
第１時間領域リソースパラメータ、第１周波数領域リソースパラメータ、第１時間周波数リソースパラメータ及び第１伝送層の数のうちの少なくとも１つを含むことを特徴とする
請求項１に記載の方法。
【請求項３】
前記第２リソースパラメータは、
第２時間領域リソースパラメータ、第２周波数領域リソースパラメータ、第２時間周波数リソースパラメータ及び第２伝送層の数のうちの少なくとも１つを含むことを特徴とする
請求項１又は２に記載の方法。
【請求項４】
前記第２時間領域リソースパラメータは前記目標伝送ブロックが伝送される際に用いた時間領域リソースユニットの数を含み、前記時間領域リソースユニットは、直交周波数分割多重ＯＦＤＭシンボル、スロット、ミニスロット又はサブフレームであり、
前記第２周波数領域リソースパラメータは前記目標伝送ブロックが伝送される際に用いた周波数領域リソースユニットの数を含み、前記周波数領域リソースユニットは、サブキャリア、物理リソースブロックＰＲＢ、サブバンド又はキャリアであり、
前記第２時間周波数リソースパラメータは前記目標伝送ブロックが伝送される際に用いた時間周波数リソースユニットＲＥの数を含み、
前記第２伝送層の数は前記目標伝送ブロックがマッピングされる伝送層の数を含むことを特徴とする
請求項３に記載の方法。
【請求項５】
前記端末装置が現在の目標伝送ブロックを伝送するための変調符号化方式（ＭＣＳ）レベルを確定する前に、前記方法は、更に、
前記端末装置は、前記ネットワーク機器から送信された前記ＭＣＳレベルを示すための指示情報を受信することを含むことを特徴とする
請求項１〜４のいずれか１項に記載の方法。
【請求項６】
前記プリセットの第１リソースパラメータは、リソースユニットを含む、
請求項１〜５のいずれか１項に記載の方法。
【請求項７】
端末装置であって、
確定ユニット及び伝送ユニットを備え、
前記確定ユニットは、現在の目標伝送ブロックを伝送するための変調符号化方式（ＭＣＳ）レベルを確定することに用いられ、
前記確定ユニットは、更に、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定することに用いられ、前記ＴＢＳマッピング関係がＭＣＳレベルとＴＢＳとのマッピング関係を含み、
前記確定ユニットは、更に、前記目標伝送ブロックを伝送するための第２リソースパラメータと前記第１ＴＢＳとに基づき、第２ＴＢＳを確定することに用いられ、
前記伝送ユニットは、前記第２ＴＢＳに基づき、ネットワーク機器へ前記目標伝送ブロックを送信し、又は前記ネットワーク機器が前記第２ＴＢＳに基づいて送信した前記目標伝送ブロックを受信することに用いられ、
前記確定ユニットは、具体的に、
前記第２リソースパラメータ及び前記第１ＴＢＳに基づき、第３ＴＢＳを確定し、
前記第３ＴＢＳ以上であり、且つプリセット値の整数倍に等しいＴＢＳから、最小のＴＢＳを前記第２ＴＢＳとして確定することに用いられることを特徴とする
端末装置。
【請求項８】
前記第１リソースパラメータは、
第１時間領域リソースパラメータ、第１周波数領域リソースパラメータ、第１時間周波数リソースパラメータ及び第１伝送層の数のうちの少なくとも１つを含むことを特徴とする
請求項７に記載の端末装置。
【請求項９】
前記第２リソースパラメータは、
第２時間領域リソースパラメータ、第２周波数領域リソースパラメータ、第２時間周波数リソースパラメータ及び第２伝送層の数のうちの少なくとも１つを含むことを特徴とする
請求項７又は８に記載の端末装置。
【請求項１０】
前記第２時間領域リソースパラメータは前記目標伝送ブロックが伝送される際に用いた時間領域リソースユニットの数を含み、前記時間領域リソースユニットは、直交周波数分割多重ＯＦＤＭシンボル、スロット、ミニスロット又はサブフレームであり、
前記第２周波数領域リソースパラメータは前記目標伝送ブロックが伝送される際に用いた周波数領域リソースユニットの数を含み、前記周波数領域リソースユニットは、サブキャリア、物理リソースブロックＰＲＢ、サブバンド又はキャリアであり、
前記第２時間周波数リソースパラメータは前記目標伝送ブロックが伝送される際に用いた時間周波数リソースユニットＲＥの数を含み、
前記第２伝送層の数は前記目標伝送ブロックがマッピングされる伝送層の数を含むことを特徴とする
請求項９に記載の端末装置。
【請求項１１】
前記伝送ユニットは、更に、
前記確定ユニットが現在の目標伝送ブロックを伝送するための変調符号化方式（ＭＣＳ）レベルを確定する前に、前記ネットワーク機器から送信された前記ＭＣＳレベルを示すための指示情報を受信することに用いられることを特徴とする
請求項７〜１０のいずれか１項に記載の端末装置。
【請求項１２】
前記プリセットの第１リソースパラメータは、リソースユニットを含む、
請求項７〜１１のいずれか１項に記載の端末装置。
【請求項１３】
ネットワーク機器であって、
確定ユニット及び伝送ユニットを備え、
前記確定ユニットは、目標伝送ブロックを伝送するための変調符号化方式（ＭＣＳ）レベルを確定することに用いられ、
前記確定ユニットは、更に、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定することに用いられ、前記ＴＢＳマッピング関係がＭＣＳレベルとＴＢＳとのマッピング関係を含み、
前記確定ユニットは、更に、前記目標伝送ブロックを伝送するための第２リソースパラメータと前記第１ＴＢＳとに基づき、第２ＴＢＳを確定することに用いられ、
伝送ユニットは、前記第２ＴＢＳに基づき、端末装置へ前記目標伝送ブロックを送信し、又は前記端末装置が前記第２ＴＢＳに基づいて送信した前記目標伝送ブロックを受信することに用いられ、
前記確定ユニットは、具体的に、
前記第２リソースパラメータ及び前記第１ＴＢＳに基づき、第３ＴＢＳを確定し、
前記第３ＴＢＳ以上であり、且つプリセット値の整数倍に等しいＴＢＳから、最小のＴＢＳを前記第２ＴＢＳとして確定することに用いられることを特徴とする
ネットワーク機器。
【請求項１４】
前記第１リソースパラメータは、
第１時間領域リソースパラメータ、第１周波数領域リソースパラメータ、第１時間周波数リソースパラメータ及び第１伝送層の数のうちの少なくとも１つを含むことを特徴とする
請求項１３に記載のネットワーク機器。
【請求項１５】
前記第２リソースパラメータは、
第２時間領域リソースパラメータ、第２周波数領域リソースパラメータ、第２時間周波数リソースパラメータ及び第２伝送層の数のうちの少なくとも１つを含むことを特徴とする
請求項１３〜１４のいずれか１項に記載のネットワーク機器。
【請求項１６】
前記第２時間領域リソースパラメータは前記目標伝送ブロックが伝送される際に用いた時間領域リソースユニットの数を含み、前記時間領域リソースユニットは、直交周波数分割多重ＯＦＤＭシンボル、スロット、ミニスロット又はサブフレームであり、
前記第２周波数領域リソースパラメータは前記目標伝送ブロックが伝送される際に用いた周波数領域リソースユニットの数を含み、前記周波数領域リソースユニットは、サブキャリア、物理リソースブロックＰＲＢ、サブバンド又はキャリアであり、
前記第２時間周波数リソースパラメータは前記目標伝送ブロックが伝送される際に用いた時間周波数リソースユニットＲＥの数を含み、
前記第２伝送層の数は前記目標伝送ブロックがマッピングされる伝送層の数を含むことを特徴とする
請求項１５に記載のネットワーク機器。
【請求項１７】
前記伝送ユニットは、更に、
前記ＭＣＳレベルを示すための指示情報を前記端末装置に送信することに用いられることを特徴とする
請求項１３〜１５のいずれか１項に記載のネットワーク機器。
【発明の詳細な説明】
【技術分野】
【０００１】
本願の実施例は無線通信分野に関し、且つより具体的に、データ伝送方法、端末装置及びネットワーク機器に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、ネットワーク側がデータ伝送をスケジューリングするとき、ダウンリンク制御情報（ＤＣＩ：Ｄｏｗｎｌｉｎｋ  Ｃｏｎｔｒｏｌ  Ｉｎｆｏｒｍａｔｉｏｎ）に変調符号化方式（ＭＣＳ：Ｍｏｄｕｌａｔｉｏｎ  ａｎｄ  Ｃｏｄｉｎｇ  Ｓｃｈｅｍｅ）の情報が含まれる。同時に、ネットワーク側及び端末側は該指示情報に示されるＭＣＳとデータ伝送ブロックサイズ（ＴＢＳ：Ｔｒａｎｓｐｏｒｔ  Ｂｌｏｃｋ  Ｓｉｚｅ）とのマッピング関係を予め約束し、端末装置は該指示情報及び該マッピング関係に基づき、対応するＴＢＳを取得し、そして該ＴＢＳを用いてネットワーク機器とデータ伝送を行う。
【０００３】
しかしながら、現在の新無線システム（ＮＲ：Ｎｅｗ  Ｒａｄｉｏ）とも称される５Ｇシステムにおいて、データを伝送するために用いたリソースパラメータの値が様々である。例えば、１つの伝送ブロックを伝送する際に使用可能なＰＲＢ数は、ＬＴＥシステムで使用されるＰＲＢ数より多く、また、データ伝送時にサブフレームだけを単位とするわけではなく、ミニスロット、スロット、アグリゲーションスロット等を柔軟に時間領域リソースの伝送単位とすることができ、１つの伝送ブロックの可能なマッピング層数がＬＴＥシステムにおけるものより多い。ＰＲＢ数、時間領域リソースユニット及び伝送層の数等のような様々なリソースパラメータが柔軟に変化すると伴い、対応するＴＢＳも変化し、リソースパラメータの値範囲が広い状況において、ＬＴＥシステムにおけるＴＢＳの確定方法は、ＴＢＳの情報の確定に使用することができなくなる。
【発明の概要】
【発明が解決しようとする課題】
【０００４】
本願の実施例は、データの伝送に用いたリソースパラメータの値範囲が広い状況において、データを伝送するためのＴＢＳの情報を効果的に取得することができるデータ伝送方法、端末装置及びネットワーク機器を提供する。
【課題を解決するための手段】
【０００５】
第１態様に係るデータ伝送方法であって、
端末装置は、現在の目標伝送ブロックを伝送するための変調符号化方式（ＭＣＳ）レベルを確定することと、
前記端末装置は、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定し、前記ＴＢＳマッピング関係がＭＣＳレベルとＴＢＳとのマッピング関係を含むことと、
前記端末装置は、前記目標伝送ブロックを伝送するための第２リソースパラメータと前記第１ＴＢＳとに基づき、第２ＴＢＳを確定することと、
前記端末装置は前記第２ＴＢＳに基づき、前記ネットワーク機器へ前記目標伝送ブロックを送信し、又は前記ネットワーク機器が前記第２ＴＢＳに基づいて送信した前記目標伝送ブロックを受信することと、を含むことを特徴とする。
【０００６】
従って、端末装置はプリセットのリソースパラメータにおけるＴＢＳマッピング関係によって第１ＴＢＳを確定して、現在の伝送ブロックが用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、端末装置の実現の複雑さがより低く、正方向互換性を容易に実現することでより広い伝送リソース範囲内に使用でき、例えばより広い範囲の時間領域リソース、周波数領域リソース又は伝送層の数に拡張する。
【０００７】
好ましくは、該第１リソースパラメータは第１時間領域リソースパラメータ、第１周波数領域リソースパラメータ、第１時間周波数リソースパラメータ及び第１伝送層の数のうちの少なくとも１つを含む。
【０００８】
更に、該第１時間領域リソースパラメータは該目標伝送ブロックが伝送される際に用いた時間領域リソースユニットの数を含んでもよく、該時間領域リソースユニットが直交周波数分割多重ＯＦＤＭシンボル、スロット、ミニスロット又はサブフレーム等であり、該第１周波数領域リソースパラメータは該目標伝送ブロックが伝送される際に用いた周波数領域リソースユニットの数を含んでもよく、該周波数領域リソースユニットがサブキャリア、物理リソースブロックＰＲＢ、サブバンド又はキャリア等であり、該第１時間周波数リソースパラメータは該目標伝送ブロックが伝送される際に用いた時間周波数リソースユニットＲＥの数を含んでもよく、該時間周波数リソースユニットがデータを伝送するための基本ユニットであり、該第１伝送層の数は該目標伝送ブロックがマッピングされる伝送層の数を含んでもよい。
【０００９】
該第１リソースパラメータがプリセットのリソースパラメータであり、該ＴＢＳマッピング関係がプリセットの該第１リソースパラメータにおけるＴＢＳマッピング関係であり、例えば該第１リソースパラメータがプロトコルに決めたリソースパラメータであってもよく、該ＴＢＳマッピング関係が該決められたリソースパラメータにおけるＭＣＳレベルとＴＢＳとのマッピング関係であると理解すべきである。
【００１０】
端末装置が第１ＴＢＳを確定するためのＴＢＳマッピング関係テーブルには、複数の第１リソースパラメータにおけるＴＢＳマッピング関係が同時に含まれてもよく、例えばテーブル１に示される３つのＯＦＤＭシンボル数におけるＴＢＳマッピング関係が同時に含まれてもよい。更に１つのみの第１リソースパラメータにおけるＴＢＳマッピング関係が含まれてもよく、例えばＯＦＤＭシンボル数が１であるときのＴＢＳマッピング関係のみが含まれてもよい。本願の実施例は制限しない。
【００１１】
端末装置が第１ＴＢＳを確定するためのＴＢＳマッピング関係テーブルには、複数の第１リソースパラメータにおけるＴＢＳマッピング関係が同時に含まれてもよく、例えばテーブル１に示される３つのＯＦＤＭシンボル数におけるＴＢＳマッピング関係が同時に含まれ、端末装置は、第１ＴＢＳを確定するとき、ＯＦＤＭシンボル数が１、ＯＦＤＭシンボル数が２、ＯＦＤＭシンボル数が７であるという第１リソースパラメータから１つを選択して第１ＴＢＳを確定することに用いられることができる。端末装置は３つの第１リソースパラメータのうちのいずれか１つをランダムに選択してもよいし、現在の目標伝送ブロックを伝送するための第２リソースパラメータに基づき、第２リソースパラメータに最もマッチングする第１リソースパラメータを選択してもよく、それにより選択された該第１リソースパラメータにおけるＴＢＳマッピング関係に基づいて該目標伝送ブロックのＭＣＳに対応する第１ＴＢＳを確定する。
【００１２】
なお、該ＴＢＳマッピング関係は更にプリセットの複数の第１リソースパラメータにおけるＴＢＳマッピング関係であってもよく、例えば該ＴＢＳマッピング関係はプリセットの第１時間領域リソースパラメータ及び第１周波数領域リソースパラメータに対応する物理リソースであって、伝送層の数が第１伝送層の数である場合のＴＢＳマッピング関係であってもよい。上記プリセットの第１リソースパラメータはネットワーク機器と端末装置とが予め決めたリソースパラメータであってもよい。
【００１３】
好ましくは、第１態様の実現方式では、前記端末装置が前記目標伝送ブロックを伝送するための第２リソースパラメータと前記第１ＴＢＳとに基づき、前記第２ＴＢＳを確定することは、前記端末装置は、前記第２リソースパラメータと前記第１リソースパラメータとの数値関係及び前記第１ＴＢＳに基づき、前記第２ＴＢＳを確定することを含む。
【００１４】
好ましくは、前記第２リソースパラメータは第２時間領域リソースパラメータ、第２周波数領域リソースパラメータ、第２時間周波数リソースパラメータ及び第２伝送層の数のうちの少なくとも１つを含む。
【００１５】
更に、前記第２時間領域リソースパラメータは前記目標伝送ブロックが伝送される際に用いた時間領域リソースユニットの数を含み、前記時間領域リソースユニットは、直交周波数分割多重ＯＦＤＭシンボル、スロット、ミニスロット又はサブフレームであり、前記第２周波数領域リソースパラメータは前記目標伝送ブロックが伝送される際に用いた周波数領域リソースユニットの数を含み、前記周波数領域リソースユニットは、サブキャリア、物理リソースブロックＰＲＢ、サブバンド又はキャリアであり、前記第２時間周波数リソースパラメータは前記目標伝送ブロックが伝送される際に用いた時間周波数リソースユニットＲＥの数を含み、前記第２伝送層の数は前記目標伝送ブロックがマッピングされる伝送層の数を含む。
【００１６】
第２リソースパラメータの値がＮであり、第１リソースパラメータの値がＭであり、端末装置が第１リソースパラメータにおけるＴＢＳマッピング関係に基づいて確定した第１ＴＢＳはＴＢＳ  １であると仮定する場合、第２ＴＢＳは、ＴＢＳ  ２＝（Ｎ／Ｍ）×ＴＢＳ  １、又はＴＢＳ  ２＝（Ｎ／Ｍ）×ＴＢＳ  １（切り上げ）、又はＴＢＳ  ２＝（Ｎ／Ｍ）×ＴＢＳ  １（切り下げ）によって計算されてもよい。例えば、Ｎは目標伝送ブロックが伝送される際に用いた時間領域リソースユニットの数であり、Ｍは第１時間領域リソースパラメータすなわち時間領域リソースユニットの数であり、又は、Ｎはデータ伝送ブロックが伝送される際に用いた周波数領域リソースユニットの数であり、Ｍは第１周波数領域リソースパラメータすなわち周波数領域リソースユニットの数であり、又は、Ｎは第２伝送層の数の値であり、Ｍは第１伝送層の数の値である。
【００１７】
汎用性がより高い場合、第１リソースパラメータが単位リソースパラメータであり、例えば第１リソースパラメータが１つのＯＦＤＭシンボル、１つのスロット、１つのＰＲＢ、単層伝送等である。この時、端末装置は直接第２リソースパラメータ分の第１ＴＢＳに基づき、第２ＴＢＳを確定することができる。
【００１８】
好ましくは、第１態様の実現方式では、前記端末装置が前記目標伝送ブロックを伝送するための第２リソースパラメータと前記第１ＴＢＳとに基づき、前記第２ＴＢＳを確定することは、前記端末装置は、前記第２リソースパラメータ及びリソースパラメータとリソース係数とのマッピング関係に基づき、前記第２リソースパラメータに対応するリソース係数を確定することと、前記端末装置が前記第２リソースパラメータに対応するリソース係数に基づき、前記第１ＴＢＳに対してデータ処理を行って、前記第２ＴＢＳを得ることと、を含む。
【００１９】
リソースパラメータとリソース係数とのマッピング関係はネットワーク機器により確定されて端末装置に通知したものであってもよいし、ネットワーク機器と端末装置とが予め決めたものであってもよい。該リソース係数が異なるリソースパラメータにおけるＴＢＳ換算係数であり、異なる第２リソースパラメータに対応する目標伝送ブロックを伝送するために使用できる物理リソースユニットＲＥの数が異なるため、リソース係数で異なるＲＥ数の場合のＴＢＳ換算状況を示す。該リソース係数は伝送ブロックのサイズを調整することに用いられ、例えば該リソース係数は第１ＴＢＳのサイズを調整することで第２ＴＢＳを得ることに用いられる。
【００２０】
該リソース係数は更に第２リソースパラメータ及び他のリソースパラメータに基づき取得されてもよいと理解すべきである。例えば、第２リソースパラメータに基づいて１つの基礎リソース係数を取得し、次に他のリソースパラメータと組み合わせて最終的なリソース係数を取得する。例えば、端末装置は目標伝送ブロックを伝送する時間領域リソースにおいてビーム基準信号ＢＲＳ又はチャネル状態指示基準信号ＣＳＩ−ＲＳ伝送が構成される場合、端末装置は第２リソースパラメータに基づいて取得した基礎リソース係数と１つのプリセットの因数とを掛け算して該リソース係数を取得することができる。ＢＲＳ又はＣＳＩ−ＲＳ伝送が構成されない場合、該因数と掛け算する必要がない。更に、例えば、端末は目標伝送ブロックを伝送する時間領域リソースにおいて予備リソースが構成される場合、予備リソースサイズに基づいて該予備リソースサイズに対応する１つの因数を取得して、第２リソースパラメータに基づいて取得した基礎リソース係数と該因数とを掛け算して該リソース係数を取得することができる。
【００２１】
好ましくは、第１態様の実現方式では、前記端末装置が前記目標伝送ブロックを伝送するための第２リソースパラメータと前記第１ＴＢＳとに基づき、前記第２ＴＢＳを確定することは、前記端末装置は、前記第２リソースパラメータ及び前記第１ＴＢＳに基づき、第３ＴＢＳを確定することと、前記端末装置は、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから、前記第３ＴＢＳとの差分の絶対値の最も小さいＴＢＳを前記第２ＴＳＢとして確定することと、を含む。
【００２２】
いくつかの場合、データを伝送するための基本単位が固定されるため、伝送ブロックサイズがいくつかの固定値又は該固定値の整数倍であるように求められ、例えばデータ伝送がバイトを単位とし、１つのバイトが８ビット（ｂｉｔ）に等しく、従ってＴＢＳが８又は８の整数倍である必要がある。この時、端末装置はまず第２リソースパラメータ及び第１ＴＢＳに基づいて第３ＴＢＳを確定して、第３ＴＢＳに基づいて８又は８の整数倍に等しい第２ＴＢＳを確定する必要がある。
【００２３】
好ましくは、第１態様の実現方式では、前記端末装置が前記第２リソースパラメータ及び前記第１ＴＢＳに基づき、第３ＴＢＳを確定することは、前記端末装置は、前記第２リソースパラメータと前記第１リソースパラメータとの数値関係及び前記第１ＴＢＳに基づき、前記第３ＴＢＳを確定することを含む。
【００２４】
好ましくは、第１態様の実現方式では、前記端末装置が前記第２リソースパラメータ及び前記第１ＴＢＳに基づき、第３ＴＢＳを確定することは、前記端末装置は、前記第２リソースパラメータ及びリソースパラメータとリソース係数とのマッピング関係に基づき、前記第２リソースパラメータに対応するリソース係数を確定することと、前記端末装置が前記第２リソースパラメータに対応するリソース係数に基づき、前記第１ＴＢＳに対してデータ処理を行って、前記第３ＴＢＳを得ることと、を含む。
【００２５】
好ましくは、第１態様の実現方式では、前記端末装置が現在の目標伝送ブロックを伝送するための変調符号化方式（ＭＣＳ）レベルを確定する前に、前記方法は、更に、前記端末装置は、前記ネットワーク機器から送信された前記ＭＣＳレベルを示すための指示情報を受信することを含む。
【００２６】
第２態様に係るデータ伝送方法であって、
ネットワーク機器は、目標伝送ブロックを伝送するための変調符号化方式（ＭＣＳ）レベルを確定することと、
前記ネットワーク機器は、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定し、前記ＴＢＳマッピング関係がＭＣＳレベルとＴＢＳとのマッピング関係を含むことと、
前記ネットワーク機器は、前記目標伝送ブロックを伝送するための第２リソースパラメータと前記第１ＴＢＳとに基づき、第２ＴＢＳを確定することと、
前記ネットワーク機器は前記第２ＴＢＳに基づき、前記端末へ前記目標伝送ブロックを送信し、又は前記端末装置が前記第２ＴＢＳに基づいて送信した前記目標伝送ブロックを受信することと、を含むことを特徴とする。
【００２７】
従って、ネットワーク機器はプリセットのリソースパラメータにおけるＴＢＳマッピング関係によって第１ＴＢＳを確定して、現在の伝送ブロックが用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、正方向互換性を容易に実現することでより広い伝送リソース範囲内に使用でき、例えばより広い時間領域リソース、周波数領域リソース又は伝送層の数に拡張する。
【００２８】
好ましくは、該第１リソースパラメータは第１時間領域リソースパラメータ、第１周波数領域リソースパラメータ、第１時間周波数リソースパラメータ及び第１伝送層の数のうちの少なくとも１つを含む。
【００２９】
更に、該第１時間領域リソースパラメータは該目標伝送ブロックが伝送される際に用いた時間領域リソースユニットの数を含んでもよく、該時間領域リソースユニットが直交周波数分割多重ＯＦＤＭシンボル、スロット、ミニスロット又はサブフレーム等であり、該第１周波数領域リソースパラメータは該目標伝送ブロックが伝送される際に用いた周波数領域リソースユニットの数を含んでもよく、該周波数領域リソースユニットがサブキャリア、物理リソースブロックＰＲＢ、サブバンド又はキャリア等であり、該第１時間周波数リソースパラメータは該目標伝送ブロックが伝送される際に用いた時間周波数リソースユニットＲＥの数を含んでもよく、該時間周波数リソースユニットがデータを伝送するための基本ユニットであり、該第１伝送層の数は該目標伝送ブロックがマッピングされる伝送層の数を含んでもよい。
【００３０】
該第１リソースパラメータがプリセットのリソースパラメータであり、該ＴＢＳマッピング関係がプリセットの該第１リソースパラメータにおけるＴＢＳマッピング関係であり、例えば該第１リソースパラメータがプロトコルに決めたリソースパラメータであってもよく、該ＴＢＳマッピング関係が該決められたリソースパラメータにおけるＭＣＳレベルとＴＢＳとのマッピング関係であると理解すべきである。
【００３１】
ネットワーク機器は第１ＴＢＳのＴＢＳマッピング関係テーブルには複数の第１リソースパラメータにおけるＴＢＳマッピング関係が同時に含まれ、例えばテーブル１に示される３つのＯＦＤＭシンボル数におけるＴＢＳマッピング関係が同時に含まれてもよく、更に１つのみの第１リソースパラメータにおけるＴＢＳマッピング関係が含まれ、例えばＯＦＤＭシンボル数が１であるときのＴＢＳマッピング関係のみが含まれてもよいことを確定することに用いられると更に理解すべきである。本願の実施例は制限しない。
【００３２】
ネットワーク機器は第１ＴＢＳのＴＢＳマッピング関係テーブルには複数の第１リソースパラメータにおけるＴＢＳマッピング関係が同時に含まれ、例えばテーブル１に示される３つのＯＦＤＭシンボル数におけるＴＢＳマッピング関係が同時に含まれることを確定することに用いられる場合、ネットワーク機器は第１ＴＢＳを確定するとき、ＯＦＤＭシンボル数が１、ＯＦＤＭシンボル数が２、ＯＦＤＭシンボル数が７である第１リソースパラメータから１つを選択して第１ＴＢＳを確定することに用いられてもよい。ネットワーク機器は３つの第１リソースパラメータのうちのいずれか１つをランダムに選択してもよいし、現在の目標伝送ブロックを伝送するための第２リソースパラメータに基づき、第２リソースパラメータに最もマッチングする第１リソースパラメータを選択してもよく、それにより選択された該第１リソースパラメータにおけるＴＢＳマッピング関係に基づいて該目標伝送ブロックのＭＣＳに対応する第１ＴＢＳを確定する。
【００３３】
なお、該ＴＢＳマッピング関係は更にプリセットの複数の第１リソースパラメータにおけるＴＢＳマッピング関係であってもよく、例えば該ＴＢＳマッピング関係はプリセットの第１時間領域リソースパラメータ及び第１周波数領域リソースパラメータに対応する物理リソースであって、伝送層の数が第１伝送層の数である場合のＴＢＳマッピング関係であってもよい。上記プリセットの第１リソースパラメータはネットワーク機器と端末装置とが予め決めたリソースパラメータであってもよい。
【００３４】
好ましくは、第２態様の実現方式では、前記ネットワーク機器が前記目標伝送ブロックを伝送するための第２リソースパラメータと前記第１ＴＢＳとに基づき、前記第２ＴＢＳを確定することは、前記ネットワーク機器は、前記第２リソースパラメータと前記第１リソースパラメータとの数値関係及び前記第１ＴＢＳに基づき、前記第２ＴＢＳを確定することを含む。
【００３５】
好ましくは、前記第２リソースパラメータは第２時間領域リソースパラメータ、第２周波数領域リソースパラメータ、第２時間周波数リソースパラメータ及び第２伝送層の数のうちの少なくとも１つを含む。
【００３６】
更に、前記第２時間領域リソースパラメータは前記目標伝送ブロックが伝送される際に用いた時間領域リソースユニットの数を含み、前記時間領域リソースユニットは、直交周波数分割多重ＯＦＤＭシンボル、スロット、ミニスロット又はサブフレームであり、前記第２周波数領域リソースパラメータは前記目標伝送ブロックが伝送される際に用いた周波数領域リソースユニットの数を含み、前記周波数領域リソースユニットは、サブキャリア、物理リソースブロックＰＲＢ、サブバンド又はキャリアであり、前記第２時間周波数リソースパラメータは前記目標伝送ブロックが伝送される際に用いた時間周波数リソースユニットＲＥの数を含み、前記第２伝送層の数は前記目標伝送ブロックがマッピングされる伝送層の数を含む。
【００３７】
第２リソースパラメータの値がＮであり、第１リソースパラメータの値がＭであり、ネットワーク機器が第１リソースパラメータにおけるＴＢＳマッピング関係に基づいて確定した第１ＴＢＳはＴＢＳ  １であると仮定する場合、第２ＴＢＳは、ＴＢＳ  ２＝（Ｎ／Ｍ）×ＴＢＳ  １、又はＴＢＳ  ２＝（Ｎ／Ｍ）×ＴＢＳ  １（切り上げ）、又はＴＢＳ  ２＝（Ｎ／Ｍ）×ＴＢＳ  １（切り下げ）によって計算されてもよい。例えば、Ｎは目標伝送ブロックが伝送される際に用いた時間領域リソースユニットの数であり、Ｍは第１時間領域リソースパラメータすなわち時間領域リソースユニットの数であり、又は、Ｎはデータ伝送ブロックが伝送される際に用いた周波数領域リソースユニットの数であり、Ｍは第１周波数領域リソースパラメータすなわち周波数領域リソースユニットの数であり、又は、Ｎは第２伝送層の数の値であり、Ｍは第１伝送層の数の値である。
【００３８】
汎用性がより高い場合、第１リソースパラメータが単位リソースパラメータであり、例えば第１リソースパラメータが１つのＯＦＤＭシンボル、１つのスロット、１つのＰＲＢ、単層伝送等である。この時、ネットワーク機器は直接第２リソースパラメータ分の第１ＴＢＳに基づき、第２ＴＢＳを確定することができる。
【００３９】
好ましくは、第２態様の実現方式では、前記ネットワーク機器が前記目標伝送ブロックを伝送するための第２リソースパラメータと前記第１ＴＢＳとに基づき、前記第２ＴＢＳを確定することは、前記ネットワーク機器は、前記第２リソースパラメータ及びリソースパラメータとリソース係数とのマッピング関係に基づき、前記第２リソースパラメータに対応するリソース係数を確定することと、前記ネットワーク機器は、前記第２リソースパラメータに対応するリソース係数に基づき、前記第１ＴＢＳに対してデータ処理を行って、前記第２ＴＢＳを得ることと、を含む。
【００４０】
リソースパラメータとリソース係数とのマッピング関係はネットワーク機器により確定されて端末装置に通知したものであってもよいし、ネットワーク機器と端末装置とが予め決めたものであってもよい。該リソース係数が異なるリソースパラメータにおけるＴＢＳ換算係数であり、異なる第２リソースパラメータに対応する目標伝送ブロックを伝送するために使用できる物理リソースユニットＲＥの数が異なるため、リソース係数で異なるＲＥ数の場合のＴＢＳ換算状況を示す。該リソース係数は伝送ブロックのサイズを調整することに用いられ、例えば該リソース係数は第１ＴＢＳのサイズを調整することで第２ＴＢＳを得ることに用いられる。
【００４１】
該リソース係数は更に第２リソースパラメータ及び他のリソースパラメータに基づき取得されてもよいと理解すべきである。例えば、第２リソースパラメータに基づいて１つの基礎リソース係数を取得し、次に他のリソースパラメータと組み合わせて最終的なリソース係数を取得する。例えば、ネットワーク機器は目標伝送ブロックを伝送する時間領域リソースにおいて端末装置のためにビーム基準信号ＢＲＳ又はチャネル状態指示基準信号ＣＳＩ−ＲＳ伝送を構成した場合、ネットワーク機器は第２リソースパラメータに基づいて取得した基礎リソース係数と１つのプリセットの因数とを掛け算して該リソース係数を取得することができる。ネットワーク機器は端末装置のためにＢＲＳ又はＣＳＩ−ＲＳ伝送を構成しない場合、該因数と掛け算する必要がない。更に、例えば、ネットワーク機器は目標伝送ブロックを伝送する時間領域リソースにおいて端末装置のために予備リソースを構成した場合、ネットワーク機器は予備リソースサイズに基づいて該予備リソースサイズに対応する１つの因数を取得して、第２リソースパラメータに基づいて取得した基礎リソース係数と該因数とを掛け算して該リソース係数を取得することができる。
【００４２】
好ましくは、第２態様の実現方式では、前記ネットワーク機器が前記目標伝送ブロックを伝送するための第２リソースパラメータと前記第１ＴＢＳとに基づき、前記第２ＴＢＳを確定することは、前記ネットワーク機器は、前記第２リソースパラメータ及び前記第１ＴＢＳに基づき、第３ＴＢＳを確定することと、前記ネットワーク機器は、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから、前記第３ＴＢＳとの差分の絶対値の最も小さいＴＢＳを前記第２ＴＳＢとして確定することと、を含む。
【００４３】
いくつかの場合、データを伝送するための基本単位が固定されるため、伝送ブロックサイズがいくつかの固定値又は該固定値の整数倍であるように求められ、例えばデータ伝送がバイトを単位とし、１つのバイトが８ビット（ｂｉｔ）に等しく、従ってＴＢＳが８又は８の整数倍である必要がある。この時、ネットワーク機器はまず第２リソースパラメータ及び第１ＴＢＳに基づいて第３ＴＢＳを確定して、第３ＴＢＳに基づいて８又は８の整数倍に等しい第２ＴＢＳを確定する必要がある。
【００４４】
好ましくは、第２態様の実現方式では、前記ネットワーク機器が前記第２リソースパラメータ及び前記第１ＴＢＳに基づき、第３ＴＢＳを確定することは、前記ネットワーク機器が前記第２リソースパラメータと前記第１リソースパラメータとの数値関係及び前記第１ＴＢＳに基づき、前記第３ＴＢＳを確定することを含む。
【００４５】
好ましくは、第２態様の実現方式では、前記ネットワーク機器が前記第２リソースパラメータ及び前記第１ＴＢＳに基づき、第３ＴＢＳを確定することは、前記ネットワーク機器は、前記第２リソースパラメータ及びリソースパラメータとリソース係数とのマッピング関係に基づき、前記第２リソースパラメータに対応するリソース係数を確定することと、前記ネットワーク機器が前記第２リソースパラメータに対応するリソース係数に基づき、前記第１ＴＢＳに対してデータ処理を行って、前記第３ＴＢＳを得ることと、を含む。
【００４６】
好ましくは、第２態様の実現方式では、前記方法は、更に、前記ネットワーク機器が前記ＭＣＳレベルを示すための指示情報を前記端末装置に送信することを含む。
【００４７】
第３態様に係る端末装置であって、該端末装置は上記第１態様又は第１態様の任意の好適な実現方式における端末装置の操作を実行することができる。具体的に、該端末装置は上記第１態様又は第１態様の任意の好適な実現方式における端末装置の操作を実行するためのモジュールユニットを備えてもよい。
【００４８】
第４態様に係るネットワーク機器であって、該ネットワーク機器は上記第２態様又は第２態様の任意の好適な実現方式におけるネットワーク機器の操作を実行することができる。具体的に、該ネットワーク機器は上記第２態様又は第２態様の任意の好適な実現方式におけるネットワーク機器の操作を実行するためのモジュールユニットを備えてもよい。
【００４９】
第５態様に係る端末装置であって、該端末装置はプロセッサ、送受信機及びメモリを備える。該プロセッサ、送受信機及びメモリが内部接続回路によって互いに通信する。該メモリは命令を記憶することに用いられ、該プロセッサは該メモリに記憶される命令を実行することに用いられる。該プロセッサが該メモリに記憶される命令を実行するとき、該実行によって該端末装置が第１態様又は第１態様の任意の好適な実現方式における方法を実行し、又は該実行によって該端末装置が第３態様に係る端末装置を実現する。
【００５０】
第６態様に係るネットワーク機器であって、該ネットワーク機器はプロセッサ、送受信機及びメモリを備える。該プロセッサ、送受信機及びメモリが内部接続回路によって互いに通信する。該メモリは命令を記憶することに用いられ、該プロセッサは該メモリに記憶される命令を実行することに用いられる。該プロセッサが該メモリに記憶される命令を実行するとき、該実行によって該ネットワーク機器が第２態様又は第２態様の任意の好適な実現方式における方法を実行し、又は該実行によって該ネットワーク機器が第４態様に係るネットワーク機器を実現する。
【００５１】
第７態様に係るコンピュータ可読記憶媒体であって、前記コンピュータ可読記憶媒体にプログラムが記憶され、前記プログラムによってネットワーク機器が上記第１態様及びその様々な実現方式におけるいずれか１つのデータ伝送方法を実行する。
【００５２】
第８態様に係るコンピュータ可読記憶媒体であって、前記コンピュータ可読記憶媒体にプログラムが記憶され、前記プログラムによってネットワーク機器が上記第２態様及びその様々な実現方式におけるいずれか１つのデータ伝送方法を実行する。
【００５３】
第９態様に係るシステムチップであって、該システムチップは入力インターフェース、出力インターフェース、プロセッサ及びメモリを備え、該プロセッサは該メモリに記憶される命令を実行することに用いられ、該命令が実行されるとき、該プロセッサは上記第１態様及びその様々な実現方式におけるいずれか１つの方法を実現することができる。
【００５４】
第１０態様に係るシステムチップであって、該システムチップは入力インターフェース、出力インターフェース、プロセッサ及びメモリを備え、該プロセッサは該メモリに記憶される命令を実行することに用いられ、該命令が実行されるとき、該プロセッサは上記第２態様及びその様々な実現方式におけるいずれか１つの方法を実現することができる。
【図面の簡単な説明】
【００５５】
【図１】図１は本願の実施例の応用シーンの模式的なアーキテクチャ図である。
【図２】図２は本願の実施例のデータ伝送方法の模式的なフローチャートである。
【図３】図３は本願の実施例のデータ伝送方法の模式的なフローチャートである。
【図４】図４は本願の実施例に係る端末装置の模式的なブロック図である。
【図５】図５は本願の実施例に係るネットワーク機器の模式的なブロック図である。
【図６】図６は本願の実施例に係る端末装置の模式的な構造図である。
【図７】図７は本願の実施例に係るネットワーク機器の模式的な構造図である。
【図８】図８は本願の実施例に係るシステムチップの模式的な構造図である。
【発明を実施するための形態】
【００５６】
以下、図面を参照しながら本願の実施例の技術案を説明する。
【００５７】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）及び将来の５Ｇ通信システム等に適用されてもよいと理解すべきである。
【００５８】
本願は端末装置によって各実施例を説明した。端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展するＰＬＭＮネットワークにおける端末装置等であってもよい。
【００５９】
本願はネットワーク機器によって各実施例を説明した。ネットワーク機器は端末装置と通信するための機器であってもよく、例えば、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又は、該ネットワーク機器は中継所、アクセスポイント、車載装置、ウェアラブルデバイス及び将来の５Ｇネットワークにおけるネットワーク側機器又は将来発展するＰＬＭＮネットワークにおけるネットワーク側機器等であってもよい。
【００６０】
図１は本願の実施例の応用シーンの模式図である。図１における通信システムはネットワーク機器１０及び端末装置２０を備えてもよい。ネットワーク機器１０は端末装置２０に通信サービスを提供してコアネットワークにアクセスすることに用いられ、端末装置２０はネットワーク機器１０から送信された同期信号、放送信号等を検索することでネットワークにアクセスすることができ、それによりネットワークとの通信を行う。図１に示す矢印は端末装置２０とネットワーク機器１０との間のセルラーリンクを介して行われたアップリンク／ダウンリンク伝送を示すことができる。
【００６１】
本願の実施例におけるネットワークは公衆陸上移動網（ＰＬＭＮ：Ｐｕｂｌｉｃ  Ｌａｎｄ  Ｍｏｂｉｌｅ  Ｎｅｔｗｏｒｋ）又はデバイスツーデバイス（Ｄ２Ｄ：Ｄｅｖｉｃｅ  ｔｏ  Ｄｅｖｉｃｅ）ネットワーク又はマシン・ツー・マシン／マン（Ｍ２Ｍ：Ｍａｃｈｉｎｅ  ｔｏ  Ｍａｃｈｉｎｅ／Ｍａｎ）ネットワーク又は他のネットワークを指してもよく、図１は例を挙げる簡略化された模式図に過ぎず、ネットワークには更に他の端末装置が含まれてもよく、図１には図示しない。
【００６２】
図２は本願の実施例に係るデータ伝送方法２００のフローチャートである。該方法２００は端末装置により実行されてもよい。図２に示すように、該データ伝送の具体的なプロセスは以下を含む。
【００６３】
２１０では、端末装置は、現在の目標伝送ブロックを伝送するための変調符号化方式（ＭＣＳ）レベルを確定する。
【００６４】
例えば、端末装置はサービスタイプに基づいて直接該ＭＣＳレベルを確定し、又は、端末装置はネットワーク機器から送信された指示情報を受信することで、該指示情報に示される該ＭＣＳレベルを取得することができ、例えば端末装置はネットワーク機器から送信されたデータ伝送ブロックをスケジューリングするためのダウンリンク制御情報（ＤＣＩ：Ｄｏｗｎｌｏａｄ  Ｃｏｎｔｒｏｌ  Ｉｎｆｏｒｍａｔｉｏｎ）に含まれる該指示情報を受信することができる。該指示情報は直接該ＭＣＳレベルを示してもよいし、ＭＣＳインデックスを示してもよく、異なるＭＣＳインデックスに対応するＭＣＳレベルが異なる。
【００６５】
２２０では、端末装置は該ＭＣＳレベルと、プリセットの第１リソースパラメータを満たすときの伝送ブロックサイズ（ＴＢＳ）マッピング関係とに基づき、該ＭＣＳレベルに対応する第１ＴＢＳを確定する。
【００６６】
該ＴＢＳマッピング関係はＭＣＳレベルとＴＢＳとのマッピング関係を含む。端末装置は現在の目標伝送ブロックを伝送するためのＭＣＳレベルを確定した後、該ＭＣＳレベルに基づき、該ＭＣＳレベルに対応する伝送ブロックサイズ、即ち第１ＴＢＳを確定することができる。
【００６７】
なお、該第１リソースパラメータがプリセットのリソースパラメータであり、該ＴＢＳマッピング関係がプリセットの該第１リソースパラメータにおけるＴＢＳマッピング関係であり、例えば該第１リソースパラメータがプロトコルに定められたリソースパラメータであってもよく、該ＴＢＳマッピング関係が該定められたリソースパラメータを満たす場合のＭＣＳレベルとＴＢＳとのマッピング関係である。
【００６８】
好ましくは、該第１リソースパラメータは第１時間領域リソースパラメータ、第１周波数領域リソースパラメータ、第１時間周波数リソースパラメータ及び第１伝送層の数のうちの少なくとも１つを含む。
【００６９】
以下、それぞれ第１リソースパラメータを第１時間領域リソースパラメータ、第１周波数領域リソースパラメータ、第１時間周波数リソースパラメータ及び第１伝送層の数とする場合を例として、第１リソースパラメータを満たすときのＴＢＳマッピング関係を詳しく説明する。
【００７０】
状況１
第１リソースパラメータが第１時間領域リソースパラメータである場合、該ＴＢＳマッピング関係は、第１時間領域リソースパラメータを満たすときのＴＢＳマッピング関係であり、即ち第１時間領域リソースパラメータを満たすときのＭＣＳレベルと第１ＴＢＳとのマッピング関係である。
【００７１】
該第１時間領域リソースパラメータは該目標伝送ブロックが伝送される際に用いた時間領域リソースユニットの数を含み、該時間領域リソースユニットは直交周波数分割多重（ＯＦＤＭ：Ｃｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、スロット、ミニスロット、サブフレーム等である。
【００７２】
例えば、第１時間領域リソースがＮ個のサブフレーム、Ｎ個のスロット、Ｎ個のミニスロット又はＮ個のＯＦＤＭシンボルであってもよく、Ｎが決められた正整数値であり、典型値がＮ＝１又は７である。
【００７３】
該第１時間領域リソースパラメータがＯＦＤＭシンボル数である場合を例にして、テーブル１に示すように、第１時間領域リソースパラメータが１つのＯＦＤＭシンボル、２つのＯＦＤＭシンボル、７つのＯＦＤＭシンボルである場合のＴＢＳマッピング関係はテーブル１に示されている。
【００７４】
0006968889.tif 000002
ただし、テーブル１には第１時間領域リソースパラメータが１つのＯＦＤＭシンボル、２つのＯＦＤＭシンボル又は７つのＯＦＤＭシンボルである場合のＴＢＳマッピング関係を同時に示している。端末装置は第１ＴＢＳを確定するとき、ＯＦＤＭシンボル数が１、２、７である第１リソースパラメータから１つを選択して、第１ＴＢＳを確定することに用いられてもよく、例えば端末装置は３つの第１リソースパラメータのうちのいずれか１つをランダムに選択してもよいし、現在の目標伝送ブロックを伝送するための第２リソースパラメータに基づき、第２リソースパラメータにマッチングする第１リソースパラメータを選択してもよく、それにより選択された該第１リソースパラメータにおけるＴＢＳマッピング関係に基づいて該目標伝送ブロックのＭＣＳに対応する第１ＴＢＳを確定する。
【００７５】
端末装置が第１時間領域リソースパラメータを２つのＯＦＤＭシンボルとして選択すると仮定する場合、端末装置はＯＦＤＭシンボル数が２である場合のＴＢＳマッピング関係に基づき、第１ＴＢＳを確定する。例えば、端末装置はＭＣＳレベルが３であることを確定した場合、ＯＦＤＭシンボル数が２である場合のＴＢＳマッピング関係に基づき、ＭＣＳレベル３に対応する第１ＴＢＳがＴＢＳ  ３２であることを確定する。
【００７６】
端末装置が現在の目標伝送ブロックを伝送するための第２リソースパラメータは１４個のＯＦＤＭシンボルであると仮定し、ＯＦＤＭシンボル数１４とＯＦＤＭシンボル数７が倍数関係を有し、しかも倍数値が最も小さい。そのため、後続のデータ処理のために、端末装置は、第１時間領域リソースパラメータを７つのＯＦＤＭシンボルとして選択し、そして端末装置はＯＦＤＭシンボル数が７である場合のＴＢＳマッピング関係に基づき、第１ＴＢＳを確定する。例えば、端末装置はＭＣＳレベルが５であることを確定した場合、ＯＦＤＭシンボル数が７である場合のＴＢＳマッピング関係に基づき、ＭＣＳレベル５に対応する第１ＴＢＳサイズがＴＢＳ  ５３であることを確定する。
【００７７】
なお、端末装置が第１ＴＢＳを確定するためのＴＢＳマッピング関係テーブルには、複数の時間領域リソースパラメータにおけるＴＢＳマッピング関係が同時に含まれてもよく、例えば上記３つのＯＦＤＭシンボル数におけるＴＢＳマッピング関係が同時に含まれてもよい。更に１つのみの時間領域リソースパラメータにおけるＴＢＳマッピング関係が含まれてもよく、例えばＯＦＤＭシンボル数が１であるときのＴＢＳマッピング関係のみが含まれてもよい。
【００７８】
状況２
第１リソースパラメータが第１周波数領域リソースパラメータである場合、該ＴＢＳマッピング関係が第１周波数領域リソースパラメータを満たすときのＴＢＳマッピング関係であり、すなわち第１周波数領域リソースパラメータを満たすときのＭＣＳレベルと第１ＴＢＳとのマッピング関係である。
【００７９】
該第１周波数領域リソースパラメータは該目標伝送ブロックが伝送される際に用いた周波数領域リソースユニットの数を含み、該周波数領域リソースユニットはサブキャリア、物理リソースブロックＰＲＢ、サブバンド、キャリア等である。
【００８０】
例えば、第１周波数領域リソースがＭ個のサブキャリア、又はＭ個のＰＲＢ、又は特定の帯域幅等であってもよく、Ｍが決められた正整数値であり、典型値がＭ＝１である。
【００８１】
該第１周波数領域リソースパラメータがＰＲＢの数である場合を例として、テーブル２に示すように、テーブル２には第１時間領域リソースパラメータが１つのＰＲＢであるときのＴＢＳマッピング関係を示す。
【００８２】
0006968889.tif 000003
端末装置が第１時間領域リソースパラメータを１つのＰＲＢとして選択すると仮定する場合、端末装置はＰＲＢ個数が１である場合のＴＢＳマッピング関係に基づき、第１ＴＢＳを確定する。例えば、端末装置はＭＣＳレベルが２であることを確定した場合、ＰＲＢ個数が１である場合のＴＢＳマッピング関係に基づき、ＭＣＳレベル２に対応する第１ＴＢＳサイズがＴＢＳ  ２１であることを確定する。
【００８３】
なお、端末装置が第１ＴＢＳを確定するためのＴＢＳマッピング関係テーブルには、複数の周波数領域リソースパラメータにおけるＴＢＳマッピング関係が同時に含まれてもよく、例えば異なる個数のＰＲＢにおけるＴＢＳマッピング関係が同時に含まれてもよく、更に１つのみの周波数領域リソースパラメータにおけるＴＢＳマッピング関係が含まれてもよく、例えばＰＲＢ個数が１であるときのＴＢＳマッピング関係のみが含まれてもよい。
【００８４】
状況３
第１リソースパラメータが第１時間周波数リソースパラメータである場合、該ＴＢＳマッピング関係が第１時間周波数リソースパラメータを満たすときのＴＢＳマッピング関係であり、すなわち第１時間周波数リソースパラメータを満たすときのＭＣＳレベルと第１ＴＢＳとのマッピング関係である。
【００８５】
該第１時間周波数リソースパラメータは、例えば、該目標伝送ブロックが伝送される際に用いた時間周波数リソースユニット、即ちリソースエレメント（ＲＥ：Ｒｅｓｏｕｒｃｅ  Ｅｌｅｍｅｎｔ）の数等を含んでもよい。
【００８６】
例えば、第１時間周波数リソースがＮ個のＲＥ、又は１つのスロット、Ｍ個のＰＲＢ、又はＮ個のスロット、１つのＰＲＢ、又はＮ個のスロット、Ｍ個のＰＲＢ等であってもよい。
【００８７】
該第１時間周波数リソースパラメータがＲＥの数である場合を例として、テーブル３に示すように、テーブル３には第１時間周波数リソースパラメータが５０個のＲＥ、１００個のＲＥ、２００個のＲＥ、３００個のＲＥ、４００個のＲＥである場合のＴＢＳマッピング関係を示す。
【００８８】
0006968889.tif 000004
端末装置が第１時間領域リソースパラメータを１００個のＲＥとして選択すると仮定する場合、端末装置は、ＲＥ個数が１００である場合のＴＢＳマッピング関係に基づき、第１ＴＢＳを確定する。例えば、端末装置は、ＭＣＳレベルが６であることを確定した場合、ＲＥ個数が１００である場合のＴＢＳマッピング関係に基づき、ＭＣＳレベル６に対応する第１ＴＢＳサイズがＴＢＳ  ６１であることを確定する。
【００８９】
なお、端末装置が第１ＴＢＳ確定するためのＴＢＳマッピング関係テーブルには、複数の時間周波数リソースパラメータにおけるＴＢＳマッピング関係が同時に含まれてもよく、例えば上記異なる個数のＲＥにおけるＴＢＳマッピング関係が同時に含まれてもよく、更に１つのみの時間周波数リソースパラメータにおけるＴＢＳマッピング関係が含まれてもよく、例えばＲＥ個数が５０であるときのＴＢＳマッピング関係が含まれてもよい。
【００９０】
状況４
第１リソースパラメータが第１伝送層の数である場合、該ＴＢＳマッピング関係が第１伝送層の数を満たすときのＴＢＳマッピング関係であり、すなわち第１伝送層の数を満たすときのＭＣＳレベルと第１ＴＢＳとのマッピング関係である。該第１伝送層の数は、伝送ブロックがマッピングされる伝送層の数を含む。
【００９１】
例えば、第１伝送層の数を満たすときのＴＢＳマッピング関係は、第１伝送層の数を満たすときのＭＣＳレベルと第１ＴＢＳとのマッピング関係であってもよいし、第１伝送層の数を満たすときのＭＣＳレベル、ＲＥ数及び第１ＴＢＳのマッピング関係であってもよい。第１伝送層の数がＬ＝１、Ｌ＝２、Ｌ＝３、Ｌ＝４等の正整数値であってもよい。
【００９２】
該第１伝送層の数が１である場合を例として、テーブル４には第１伝送層の数が１である場合、ＲＥの数がそれぞれ２０個、４０個、８０個、１６０個、３２０個であるときのＭＣＳレベルと第１ＴＢＳとのマッピング関係を示す。
【００９３】
0006968889.tif 000005
端末装置が第１時間領域リソースパラメータを第１伝送層の数Ｌ＝１として選択して、選択されたＲＥ個数が２０であると仮定する場合、端末装置は、テーブル４に示されるＬ＝１時、ＲＥ個数が２０である場合のＴＢＳマッピング関係に基づき、第１ＴＢＳを確定する。例えば、端末装置は、ＭＣＳレベルが３であることを確定した場合、ＲＥ個数が２０である場合のＴＢＳマッピング関係に基づき、ＭＣＳレベル３に対応する第１ＴＢＳサイズがＴＢＳ  ３０であることを確定する。
【００９４】
なお、端末装置が第１ＴＢＳを確定するためのＴＢＳマッピング関係テーブルには、第１伝送層の数を満たすときのＭＣＳレベルと第１ＴＢＳとのマッピング関係が含まれてもよく、更に第１伝送層の数を満たすときのＭＣＳレベル、ＲＥ数及び第１ＴＢＳのマッピング関係、例えば上記Ｌ＝１時、異なる個数のＲＥにおけるＴＢＳマッピング関係が含まれてもよい。
【００９５】
上記４つの状況のＴＢＳマッピング関係を除き、該ＴＢＳマッピング関係は更にプリセットの複数の第１リソースパラメータにおけるＴＢＳマッピング関係であってもよく、例えば該ＴＢＳマッピング関係はプリセットの第１時間領域リソースパラメータ及び第１周波数領域リソースパラメータに対応する物理リソースであって、伝送層の数が第１伝送層の数である場合のＴＢＳマッピング関係であってもよい。上記プリセットの第１リソースパラメータはネットワーク機器と端末装置とが予め決めたリソースパラメータであってもよい。
【００９６】
２３０では、端末装置は、該目標伝送ブロックを伝送するための第２リソースパラメータ及び第１ＴＢＳに基づき、第２ＴＢＳを確定する。
【００９７】
具体的には、端末装置は第１リソースパラメータにおけるＴＢＳマッピング関係に基づいて現在の目標伝送ブロックのＭＣＳレベルに対応する第１ＴＢＳを確定した後、端末装置は該目標伝送ブロックを伝送するための第２リソースパラメータ及び確定された第１ＴＢＳに基づき、第２ＴＢＳを確定する必要があり、該第２ＴＢＳは該目標伝送ブロックを伝送するためのＴＢＳである。ここで、第１ＴＢＳはプリセットのＴＢＳであり、第２ＴＢＳは該目標伝送ブロックを伝送するために用いたＴＢＳである。
【００９８】
好ましくは、第２リソースパラメータは第２時間領域リソースパラメータ、第２周波数領域リソースパラメータ、第２時間周波数リソースパラメータ及び第２伝送層の数のうちの少なくとも１つを含んでもよい。
【００９９】
更に、該第２時間領域リソースパラメータは該目標伝送ブロックが伝送される際に用いた時間領域リソースユニットの数を含んでもよく、該時間領域リソースユニットが直交周波数分割多重ＯＦＤＭシンボル、スロット、ミニスロット又はサブフレーム等であり、該第２周波数領域リソースパラメータは該目標伝送ブロックが伝送される際に用いた周波数領域リソースユニットの数を含んでもよく、該周波数領域リソースユニットがサブキャリア、物理リソースブロックＰＲＢ、サブバンド又はキャリア等であり、該第２時間周波数リソースパラメータは該目標伝送ブロックが伝送される際に用いた時間周波数リソースユニットＲＥの数を含んでもよく、該時間周波数リソースユニットがデータを伝送するための基本ユニットであり、該第２伝送層の数は該目標伝送ブロックがマッピングされる伝送層の数を含んでもよい。
【０１００】
端末装置が該目標伝送ブロックを伝送するための第２リソースパラメータ及び第１ＴＢＳに基づき、第２ＴＢＳを確定することは、以下の４つの方式で実現されてもよく、以下に具体的に説明する。
【０１０１】
方式１
端末装置が該目標伝送ブロックを伝送するための第２リソースパラメータ及び第１ＴＢＳに基づき、第２ＴＢＳを確定することは、端末装置が第２リソースパラメータと第１リソースパラメータとの数値関係及び第１ＴＢＳに基づき、第２ＴＢＳを確定することを含む。
【０１０２】
具体的には、端末装置は第１ＴＢＳを取得した後、第１ＴＢＳ及び現在の目標伝送ブロックを伝送するための第２リソースパラメータとプリセットの第１リソースパラメータとの数値関係に基づき、該第２ＴＢＳを確定することができる。
【０１０３】
第２リソースパラメータの値がＮであり、第１リソースパラメータの値がＭであり、端末装置が第１リソースパラメータにおけるＴＢＳマッピング関係に基づいて確定した第１ＴＢＳはＴＢＳ  １であると仮定する場合、第２ＴＢＳの値ＴＢＳ  ２は、ＴＢＳ  ２＝（Ｎ／Ｍ）×ＴＢＳ  １、又はＴＢＳ  ２＝（Ｎ／Ｍ）×ＴＢＳ  １（切り上げ）、又はＴＢＳ  ２＝（Ｎ／Ｍ）×ＴＢＳ  １（切り捨て）によって計算されてもよい。例えば、Ｎは目標伝送ブロックが伝送される際に用いた時間領域リソースユニットの数であり、Ｍは第１時間領域リソースパラメータすなわち時間領域リソースユニットの数であり、又は、Ｎはデータ伝送ブロックが伝送される際に用いた周波数領域リソースユニットの数であり、Ｍは第１周波数領域リソースパラメータ、即ち周波数領域リソースユニットの数であり、又は、Ｎは第２伝送層の数の値であり、Ｍは第１伝送層の数の値である。
【０１０４】
方式２
汎用性がより高い場合、第１リソースパラメータが一つの単位のリソースパラメータであり、例えば第１リソースパラメータが１つのＯＦＤＭシンボル、１つのスロット、１つのＰＲＢ、単層伝送等である。この時、端末装置は第２リソースパラメータ及び第１ＴＢＳに基づき、直接第２ＴＢＳを確定することができる。
【０１０５】
例えば、第１リソースパラメータが１つの時間領域リソースユニットであり、第２リソースパラメータが第２時間領域リソースパラメータであり、その中に含まれる時間領域リソースユニットの数がＫ１であり、端末装置の確定した第１ＴＢＳがＴＢＳ  １である場合、第２ＴＢＳの値ＴＢＳ  ２はＴＢＳ  ２＝Ｋ１×ＴＢＳ  １によって計算されてもよい。
【０１０６】
更に、例えば、第１リソースパラメータが１つの周波数領域リソースユニットであり、第２リソースパラメータが第２周波数領域リソースパラメータであり、その中に含まれる周波数領域リソースユニットの数がＫ２であり、端末装置の確定した第１ＴＢＳがＴＢＳ  １である場合、第２ＴＢＳはＴＢＳ  ２＝Ｋ２×ＴＢＳ  １によって計算されてもよい。
【０１０７】
更に、例えば、第１リソースパラメータは伝送層の数が１に等しく、第２リソースパラメータは伝送層の数がＫ３に等しく、端末装置の確定した第１ＴＢＳがＴＢＳ  １である場合、第２ＴＢＳはＴＢＳ  ２＝Ｋ３×ＴＢＳ  １によって計算されてもよい。
【０１０８】
更に、例えば、第１リソースパラメータが１つの時間周波数リソースユニットであり、第２リソースパラメータが第２時間周波数リソースパラメータであり、その中に含まれる時間領域リソースユニットの数がＰであり、周波数領域リソースユニットの数がＱであり、端末装置の確定した第１ＴＢＳがＴＢＳ  １である場合、第２ＴＢＳはＴＢＳ  ２＝Ｐ×Ｑ×ＴＢＳ  １によって計算されてもよい。
【０１０９】
第２リソースパラメータ及び第１リソースパラメータが同じタイプのリソースパラメータであってもよく、例えば第２リソースパラメータ及び第１リソースパラメータがいずれも時間領域リソースパラメータであり、第２リソースパラメータ及び第１リソースパラメータは更に異なるタイプのリソースパラメータを含んでもよいと理解すべきである。例えば、第１リソースパラメータは周波数領域リソースパラメータ及び時間領域リソースパラメータを含み、第２リソースパラメータが時間領域リソースパラメータであり、この時、第１リソースパラメータにおける周波数領域リソースパラメータが単位周波数領域リソースパラメータ、例えば１つのＰＲＢであってもよい。
【０１１０】
方式３
端末装置が該目標伝送ブロックを伝送するための第２リソースパラメータ及び第１ＴＢＳに基づき、第２ＴＢＳを確定することは、端末装置が第２リソースパラメータ及びリソースパラメータとリソース係数とのマッピング関係に基づき、該第２リソースパラメータに対応するリソース係数を確定することと、端末装置が該第２リソースパラメータに対応するリソース係数に基づき、第１ＴＢＳに対してデータ処理を行って、該第２ＴＢＳを得ることと、を含む。
【０１１１】
リソースパラメータとリソース係数とのマッピング関係はネットワーク機器により確定されて端末装置に通知したものであってもよいし、ネットワーク機器と端末装置とが予め決めたものであってもよい。該リソース係数が異なるリソースパラメータにおけるＴＢＳの換算係数であり、異なる第２リソースパラメータに対応する目標伝送ブロックを伝送するために使用できる物理リソースユニットＲＥの数が異なるため、異なるＲＥ数の場合のＴＢＳ換算状況を示すために、リソース係数が使用される。該リソース係数は伝送ブロックのサイズを調整することに用いられ、例えば該リソース係数は第１ＴＢＳのサイズを調整することで第２ＴＢＳを得ることに用いられる。
【０１１２】
具体的には、端末装置はまず第２リソースパラメータ及びリソースパラメータとリソース係数とのマッピング関係に基づき、該第２リソースパラメータに対応するリソース係数を確定して、第１ＴＢＳを取得した後、該リソース係数及び該第１ＴＢＳに基づいて第２ＴＢＳを確定することができる。
【０１１３】
例えば、目標伝送ブロックを伝送するための第２リソースパラメータがＮ個のＯＦＤＭシンボルであり、第１リソースパラメータが７つのＯＦＤＭシンボルであり、リソースパラメータとリソース係数とのマッピング関係は例えばテーブル５に示され、端末装置はテーブル５及び第２リソースパラメータに基づき、対応するリソース係数を確定して、リソース係数及び第１ＴＢＳに基づいて第２ＴＢＳを確定することができる。例えば、第２リソースパラメータの値Ｎ＝４の場合、端末装置はテーブル５から対応するリソース係数が０．９であることを確定でき、そして、端末装置は第１ＴＢＳの値ＴＢＳ  １及び該リソース係数に基づき、第２ＴＢＳの値ＴＢＳ  ２、即ちＴＢＳ  ２＝ＴＢＳ  １×０．９を確定することができ、第２リソースパラメータの値Ｎ＝７の場合、対応するリソース係数が１であり、第２ＴＢＳが第１ＴＢＳに等しい。
【０１１４】
0006968889.tif 000006
更に、例えば、目標伝送ブロックを伝送するための第２リソースパラメータがＮ個のＰＲＢであり、リソースパラメータとリソース係数とのマッピング関係が例えばテーブル６に示され、Ｎが奇数である場合、対応するリソース係数が１であり、Ｎが偶数である場合、対応するリソース係数が０．８である。例えば、第２リソースパラメータの値Ｎ＝４の場合、端末装置は第２ＴＢＳと第１ＴＢＳとがＴＢＳ  ２＝ＴＢＳ  １×０．８を満たすことを確定する。
【０１１５】
0006968889.tif 000007
更に、例えば、伝送されている目標伝送ブロックがマッピングされる伝送層の数はＬであり、第１リソースパラメータが１層であり、リソースパラメータとリソース係数とのマッピング関係が例えばテーブル７に示され、端末装置はテーブル７及び第２リソースパラメータに基づき、対応するリソース係数を確定して、リソース係数及び第１ＴＢＳに基づいて第２ＴＢＳを確定することができる。例えば、第２リソースパラメータの値Ｌ＝２の場合、端末装置はテーブル７から対応するリソース係数が１であることを確定でき、そして、端末装置は第２ＴＢＳが第１ＴＢＳと同じであることを確定でき、第２リソースパラメータの値Ｌ＝４の場合、端末装置はテーブル７から対応するリソース係数が０．９５であることを確定でき、そこで、端末装置は第１ＴＢＳ及び該リソース係数に基づき、第２ＴＢＳすなわちＴＢＳ  ２＝ＴＢＳ  １×０．９５を確定することができる。
【０１１６】
0006968889.tif 000008
リソース係数は更に第２リソースパラメータ及び他のリソースパラメータに基づき取得されてもよいと理解すべきである。例えば、第２リソースパラメータに基づいて１つの基礎リソース係数を取得し、更に他のリソースパラメータと組み合わせて最終的なリソース係数を取得する。例えば、端末装置が目標伝送ブロックを伝送する時間領域リソースにおいてビーム基準信号（ＢＲＳ：Ｂｅａｍ  Ｒｅｆｅｒｅｎｃｅ  Ｓｉｇｎａｌ）又はチャネル状態指示基準信号（ＣＳＩ−ＲＳ：Ｃｈａｎｎｅｌ  Ｓｔａｔｅ  Ｉｎｄｉｃａｔｉｏｎ−Ｒｅｆｅｒｅｎｃｅ  Ｓｉｇｎａｌｓ）を伝送するように構成される場合、端末装置は、第２リソースパラメータに基づいて得られた基礎リソース係数と１つのプリセットの因数とを掛け算して該リソース係数を取得することができる。ＢＲＳ又はＣＳＩ−ＲＳの伝送が構成されない場合、該因数と掛け算する必要がない。更に、例えば、端末は目標伝送ブロックを伝送する時間領域リソースに予備リソースが構成される場合、予備リソースサイズに基づいて該予備リソースサイズに対応する１つの因数を取得して、第２リソースパラメータに基づいて取得した基礎リソース係数と該因数とを掛け算して該リソース係数を取得することができる。
【０１１７】
なお、方式３では、第２ＴＢＳを得るために、端末装置は第２リソースパラメータに対応するリソース係数に基づいて第１ＴＢＳを調整する。該実施例におけるリソース係数は更に方式１及び方式２で使用されてもよく、それによって端末装置が確定した第１ＴＢＳを調整し、第２ＴＢＳを得る。
【０１１８】
例えば、第１リソースパラメータが１つの時間領域リソースユニットであり、第２リソースパラメータが第２時間領域リソースパラメータであり、時間領域リソースユニットの数がＫ１であり、端末装置が確定した第１ＴＢＳがＴＢＳ  １であり、第２リソースパラメータに対応するリソース係数がＩであると仮定する場合、第２ＴＢＳの値ＴＢＳ  ２はＴＢＳ  ２＝Ｋ１×Ｉ×ＴＢＳ  １によって計算されてもよい。
【０１１９】
方式４
端末装置が該目標伝送ブロックを伝送するための第２リソースパラメータ及び第１ＴＢＳに基づき、第２ＴＢＳを確定することは、端末装置は、前記第２リソースパラメータ及び前記第１ＴＢＳに基づき、第３ＴＢＳを確定することと、端末装置は、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから第３ＴＢＳとの差分の絶対値の最も小さいＴＢＳを第２ＴＳＢとして確定することと、を含む。
【０１２０】
具体的には、いくつかの場合、データを伝送するための基本単位が固定されるため、伝送ブロックサイズがいくつかの固定値又は該固定値の整数倍であるように求められ、例えばデータ伝送がバイトを単位とし、１つのバイトが８ビット（ｂｉｔ）に等しく、従ってＴＢＳが８又は８の整数倍である必要がある。この時、端末装置はまず第２リソースパラメータ及び第１ＴＢＳに基づいて第３ＴＢＳを確定して、第３ＴＢＳに基づいて８又は８の整数倍に等しい第２ＴＢＳを確定する必要がある。
【０１２１】
端末装置は前記第３ＴＢＳ以下であり、且つプリセット値の整数倍に等しいＴＢＳから、最大のＴＢＳを第２ＴＢＳとして確定し、又は第３ＴＢＳ以上であり、且つプリセット値の整数倍に等しいＴＢＳから、最小のＴＢＳを第２ＴＢＳとして確定し、又はプリセット値の整数倍に等しいＴＢＳから第３ＴＢＳとの差分の絶対値の最も小さいＴＢＳを第２ＴＳＢとして確定することができる。
【０１２２】
例えば、端末装置の確定した第３ＴＢＳが５０  ｂｉｔであり、プリセット値が８である場合、端末装置は第２ＴＢＳが８×６＝４８  ｂｉｔ＜５０  ｂｉｔであることを確定し、又は、端末装置は第２ＴＢＳが８×７＝５６  ｂｉｔ＞５０  ｂｉｔであることを確定し、又は、端末装置は｜４８−５０｜＜｜５６−５０｜と判断し、それにより第２ＴＢＳが４８  ｂｉｔであることを確定することができる。
【０１２３】
好ましくは、端末装置が第２リソースパラメータ及び第１ＴＢＳに基づき、第３ＴＢＳを確定することは、端末装置が第２リソースパラメータと第１リソースパラメータとの数値関係及び第１ＴＢＳに基づき、第３ＴＢＳを確定することを含む。
【０１２４】
好ましくは、端末装置が第２リソースパラメータ及び第１ＴＢＳに基づき、第３ＴＢＳを確定することは、端末装置が第２リソースパラメータ及びリソースパラメータとリソース係数とのマッピング関係に基づき、第２リソースパラメータに対応するリソース係数を確定することと、端末装置が第２リソースパラメータに対応するリソース係数に基づき、第１ＴＢＳに対してデータ処理を行って、第３ＴＢＳを得ることと、を含む。
【０１２５】
端末装置が第１ＴＢＳ及び第２リソースパラメータに基づいて第３ＴＢＳを確定する過程は、上記方式１及び方式２の、端末装置が第１ＴＢＳ及び第２リソースパラメータに基づいて第２ＴＢＳを確定する過程を参照してもよい。簡潔のため、ここで詳細な説明は省略する。
【０１２６】
なお、方式４では、端末装置はまず第２リソースパラメータ及び第１ＴＢＳに基づいて第３ＴＢＳを確定し、そして条件を満たす第２ＴＢＳを確定する。上記３つのＴＢＳの確定方式では、伝送ブロックサイズがいくつかの固定値又は該固定値の整数倍である可能性があり、例えばデータ伝送がバイトを単位とし、１つのバイトが８ビット（ｂｉｔ）に等しいため、ＴＢＳが８又は８の整数倍である必要がある。この時、同様に方式４の方法で実現し、つまり、端末装置がまず第３ＴＢＳを確定して、第３ＴＢＳ及びプリセットのルールに従って第２ＴＢＳを確定することができる。
【０１２７】
例えば、第１リソースパラメータが１つの時間領域リソースユニットであり、第２リソースパラメータが第２時間領域リソースパラメータであり、その中に含まれる時間領域リソースユニットの数がＫ１であり、端末装置の確定した第１ＴＢＳがＴＢＳ  １であると仮定し、端末装置はまず第３ＴＢＳの値ＴＢＳ  ３＝Ｋ１×ＴＢＳ  １を確定し、その後、端末装置は例えば第３ＴＢＳ以下であり、且つプリセット値の整数倍に等しいＴＢＳから、最大のＴＢＳを第２ＴＢＳとして確定することができる。
【０１２８】
２４０では、端末装置は第２ＴＢＳに基づき、ネットワーク機器へ該目標伝送ブロックを送信し、又はネットワーク機器が第２ＴＢＳに基づいて送信した該目標伝送ブロックを受信する。
【０１２９】
具体的には、端末装置は現在の目標伝送ブロックを伝送するための第２ＴＢＳを確定した後、端末装置は該第２ＴＢＳに基づいて対応するサイズの目標伝送ブロックを生成して、ネットワーク機器へ該目標伝送ブロックを送信し、又はネットワーク機器が該第２ＴＢＳに基づいて送信した目標伝送ブロックを受信することができる。
【０１３０】
本願の実施例において、端末装置はプリセットのリソースパラメータにおけるＴＢＳマッピング関係によって第１ＴＢＳを確定して、現在の伝送ブロックに用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、端末装置の実現の複雑さがより低く、正方向互換性を容易に実現することでより広い伝送リソース範囲内に使用でき、例えばより広い時間領域リソース、周波数領域リソース又は伝送層の数に拡張する。
【０１３１】
図３は本願の実施例に係るデータ伝送方法３００のフローチャートである。該方法３００はネットワーク機器により実行されてもよい。図３に示すように、該データ伝送の具体的なプロセスは以下を含む。
【０１３２】
３１０では、ネットワーク機器は、目標伝送ブロックを伝送するための変調符号化方式（ＭＣＳ）レベルを確定する。
【０１３３】
好ましくは、ネットワーク機器は目標伝送ブロックを伝送するための変調符号化方式（ＭＣＳ）レベルを確定した後、更に端末装置へ指示情報を送信して端末装置に現在の目標伝送ブロックを伝送するためのＭＣＳレベルを通知することができ、それにより端末装置は該ＭＣＳレベルに基づき、該ＭＣＳレベルに対応する伝送ブロックサイズ、すなわち第１ＴＢＳを確定する。例えば、ネットワーク機器はデータ伝送ブロックをスケジューリングするためのダウンリンク制御情報（ＤＣＩ：Ｄｏｗｎｌｏａｄ  Ｃｏｎｔｒｏｌ  Ｉｎｆｏｒｍａｔｉｏｎ）における指示情報で該ＭＣＳレベルを端末装置に示す。
【０１３４】
３２０では、ネットワーク機器は、該ＭＣＳレベルと、プリセットの第１リソースパラメータを満たすときの伝送ブロックサイズ（ＴＢＳ）マッピング関係とに基づき、該ＭＣＳレベルに対応する第１ＴＢＳを確定する。
【０１３５】
該ＴＢＳマッピング関係はＭＣＳレベルとＴＢＳとのマッピング関係を含む。
【０１３６】
該第１リソースパラメータがプリセットのリソースパラメータであり、該ＴＢＳマッピング関係がプリセットの該第１リソースパラメータにおけるＴＢＳマッピング関係であり、例えば該第１リソースパラメータがプロトコルに決めたリソースパラメータであってもよく、該ＴＢＳマッピング関係が該決められたリソースパラメータにおけるＭＣＳレベルとＴＢＳとのマッピング関係であると理解すべきである。
【０１３７】
好ましくは、該第１リソースパラメータは第１時間領域リソースパラメータ、第１周波数領域リソースパラメータ、第１時間周波数リソースパラメータ及び第１伝送層の数のうちの少なくとも１つを含む。
【０１３８】
更に、該第１時間領域リソースパラメータは該目標伝送ブロックが伝送される際に用いた時間領域リソースユニットの数を含んでもよく、該時間領域リソースユニットが直交周波数分割多重ＯＦＤＭシンボル、スロット、ミニスロット又はサブフレーム等であり、該第１周波数領域リソースパラメータは該目標伝送ブロックが伝送される際に用いた周波数領域リソースユニットの数を含んでもよく、該周波数領域リソースユニットがサブキャリア、物理リソースブロックＰＲＢ、サブバンド又はキャリア等であり、該第１時間周波数リソースパラメータは該目標伝送ブロックが伝送される際に用いた時間周波数リソースユニットＲＥの数を含んでもよく、該時間周波数リソースユニットがデータを伝送するための基本ユニットであり、該第１伝送層の数は該目標伝送ブロックがマッピングされる伝送層の数を含んでもよい。
【０１３９】
第１時間領域リソースパラメータを満たすときのＴＢＳマッピング関係、すなわちＭＣＳレベルと第１ＴＢＳとのマッピング関係は、具体的に上記２３０における端末装置についての説明における状況１〜状況４の説明を参照してもよく、簡潔のため、ここで詳細な説明は省略する。
【０１４０】
ネットワーク機器は第１ＴＢＳのＴＢＳマッピング関係テーブルには複数の第１リソースパラメータにおけるＴＢＳマッピング関係が同時に含まれ、例えばテーブル１に示される３つのＯＦＤＭシンボル数におけるＴＢＳマッピング関係が同時に含まれてもよく、更に１つのみの第１リソースパラメータにおけるＴＢＳマッピング関係が含まれ、例えばＯＦＤＭシンボル数が１であるときのＴＢＳマッピング関係が含まれてもよいことを確定することに用いられると理解すべきである。本願の実施例は制限しない。
【０１４１】
ネットワーク機器は第１ＴＢＳのＴＢＳマッピング関係テーブルには複数の第１リソースパラメータにおけるＴＢＳマッピング関係が同時に含まれ、例えばテーブル１に示される３つのＯＦＤＭシンボル数におけるＴＢＳマッピング関係が同時に含まれることを確定することに用いられる場合、ネットワーク機器は第１ＴＢＳを確定するとき、ＯＦＤＭシンボル数が１、ＯＦＤＭシンボル数が２、ＯＦＤＭシンボル数が７である第１リソースパラメータから１つを選択して第１ＴＢＳを確定することに用いられてもよい。ネットワーク機器は３つの第１リソースパラメータのうちのいずれか１つをランダムに選択してもよいし、現在の目標伝送ブロックを伝送するための第２リソースパラメータに基づき、第２リソースパラメータに最もマッチングする第１リソースパラメータを選択してもよく、それにより選択された該第１リソースパラメータにおけるＴＢＳマッピング関係に基づいて該目標伝送ブロックのＭＣＳに対応する第１ＴＢＳを確定する。
【０１４２】
なお、該ＴＢＳマッピング関係は更にプリセットの複数の第１リソースパラメータにおけるＴＢＳマッピング関係であってもよく、例えば該ＴＢＳマッピング関係はプリセットの第１時間領域リソースパラメータ及び第１周波数領域リソースパラメータに対応する物理リソースであって、伝送層の数が第１伝送層の数である場合のＴＢＳマッピング関係であってもよい。上記プリセットの第１リソースパラメータはネットワーク機器と端末装置とが予め決めたリソースパラメータであってもよい。
【０１４３】
３３０では、ネットワーク機器は、該目標伝送ブロックを伝送するための第２リソースパラメータ及び第１ＴＢＳに基づき、第２ＴＢＳを確定する。
【０１４４】
具体的には、ネットワーク機器は第１リソースパラメータにおけるＴＢＳマッピング関係に基づいて現在の目標伝送ブロックのＭＣＳレベルに対応する第１ＴＢＳを確定した後、ネットワーク機器は該目標伝送ブロックを伝送するための第２リソースパラメータ及び確定された第１ＴＢＳに基づいて第２ＴＢＳを確定する必要があり、該第２ＴＢＳは該目標伝送ブロックを伝送するためのＴＢＳである。ここで、第１ＴＢＳがプリセットのＴＢＳであるが、第２ＴＢＳが該目標伝送ブロックを伝送するために用いたＴＢＳである。
【０１４５】
好ましくは、第２リソースパラメータは第２時間領域リソースパラメータ、第２周波数領域リソースパラメータ、第２時間周波数リソースパラメータ及び第２伝送層の数のうちの少なくとも１つを含んでもよい。
【０１４６】
更に、該第２時間領域リソースパラメータは該目標伝送ブロックが伝送される際に用いた時間領域リソースユニットの数を含んでもよく、該時間領域リソースユニットが例えば直交周波数分割多重ＯＦＤＭシンボル、スロット、ミニスロット又はサブフレームであり、該第２周波数領域リソースパラメータは該目標伝送ブロックが伝送される際に用いた周波数領域リソースユニットの数を含んでもよく、該周波数領域リソースユニットが例えばサブキャリア、物理リソースブロックＰＲＢ、サブバンド又はキャリアであり、該第２時間周波数リソースパラメータは該目標伝送ブロックが伝送される際に用いた時間周波数リソースユニットＲＥの数を含んでもよく、該時間周波数リソースユニットがデータを伝送するための基本ユニットであり、該第２伝送層の数は該目標伝送ブロックがマッピングされる伝送層の数を含んでもよい。
【０１４７】
好ましくは、ネットワーク機器が該目標伝送ブロックを伝送するための第２リソースパラメータ及び第１ＴＢＳに基づき、第２ＴＢＳを確定することは、ネットワーク機器が第２リソースパラメータと第１リソースパラメータとの数値関係及び第１ＴＢＳに基づき、第２ＴＢＳを確定することを含む。
【０１４８】
具体的には、ネットワーク機器は第１ＴＢＳを取得した後、第１ＴＢＳ及び現在の目標伝送ブロックを伝送するための第２リソースパラメータとプリセットの第１リソースパラメータとの数値関係に基づき、該第２ＴＢＳを確定することができる。
【０１４９】
第２リソースパラメータの値がＮであり、第１リソースパラメータの値がＭであり、ネットワーク機器が第１リソースパラメータにおけるＴＢＳマッピング関係に基づいて確定した第１ＴＢＳはＴＢＳ  １であると仮定する場合、第２ＴＢＳの値ＴＢＳ  ２は、ＴＢＳ  ２＝（Ｎ／Ｍ）×ＴＢＳ  １、又はＴＢＳ  ２＝（Ｎ／Ｍ）×ＴＢＳ  １（切り上げ）、又はＴＢＳ  ２＝（Ｎ／Ｍ）×ＴＢＳ  １（切り下げ）によって計算されてもよい。例えば、Ｎは目標伝送ブロックが伝送される際に用いた時間領域リソースユニットの数であり、Ｍは第１時間領域リソースパラメータすなわち時間領域リソースユニットの数であり、又は、Ｎはデータ伝送ブロックが伝送される際に用いた周波数領域リソースユニットの数であり、Ｍは第１周波数領域リソースパラメータすなわち周波数領域リソースユニットの数であり、又は、Ｎは第２伝送層の数の値であり、Ｍは第１伝送層の数の値である。
【０１５０】
汎用性がより高い場合、第１リソースパラメータが単位リソースパラメータであり、例えば第１リソースパラメータが１つのＯＦＤＭシンボル、１つのスロット、１つのＰＲＢ、単層伝送等である。この時、ネットワーク機器は直接第２リソースパラメータ及び第１ＴＢＳに基づき、第２ＴＢＳを確定することができる。
【０１５１】
好ましくは、ネットワーク機器が該目標伝送ブロックを伝送するための第２リソースパラメータ及び第１ＴＢＳに基づき、第２ＴＢＳを確定することは、ネットワーク機器が第２リソースパラメータ及びリソースパラメータとリソース係数とのマッピング関係に基づき、該第２リソースパラメータに対応するリソース係数を確定することと、ネットワーク機器が該第２リソースパラメータに対応するリソース係数に基づき、第１ＴＢＳに対してデータ処理を行って、該第２ＴＢＳを得ることと、を含む。
【０１５２】
具体的には、ネットワーク機器はまず第２リソースパラメータ及びリソースパラメータとリソース係数とのマッピング関係に基づき、該第２リソースパラメータに対応するリソース係数を確定して、第１ＴＢＳを取得した後、該リソース係数及び該第１ＴＢＳに基づいて第２ＴＢＳを確定することができる。リソースパラメータとリソース係数とのマッピング関係はネットワーク機器により確定されて端末装置に通知したものであってもよいし、ネットワーク機器と端末装置とが予め決めたものであってもよい。該リソース係数が異なるリソースパラメータにおけるＴＢＳ換算係数であり、異なる第２リソースパラメータに対応する目標伝送ブロックを伝送するために使用できる物理リソースユニットＲＥの数が異なるため、リソース係数で異なるＲＥ数の場合のＴＢＳ換算状況を示す。該リソース係数は伝送ブロックのサイズを調整することに用いられ、例えば該リソース係数は第１ＴＢＳのサイズを調整することで第２ＴＢＳを得ることに用いられる。
【０１５３】
該リソース係数は更に第２リソースパラメータ及び他のリソースパラメータに基づき取得されてもよいと理解すべきである。例えば、第２リソースパラメータに基づいて１つの基礎リソース係数を取得し、次に他のリソースパラメータと組み合わせて最終的なリソース係数を取得する。例えば、ネットワーク機器は目標伝送ブロックを伝送する時間領域リソースにおいて端末装置のためにビーム基準信号ＢＲＳ又はチャネル状態指示基準信号ＣＳＩ−ＲＳ伝送を構成した場合、ネットワーク機器は第２リソースパラメータに基づいて取得した基礎リソース係数と１つのプリセットの因数とを掛け算して該リソース係数を取得することができる。ネットワーク機器は端末装置のためにＢＲＳ又はＣＳＩ−ＲＳ伝送を構成しない場合、該因数と掛け算する必要がない。更に、例えば、ネットワーク機器は目標伝送ブロックを伝送する時間領域リソースにおいて端末装置のために予備リソースを構成した場合、ネットワーク機器は予備リソースサイズに基づいて該予備リソースサイズに対応する１つの因数を取得して、第２リソースパラメータに基づいて取得した基礎リソース係数と該因数とを掛け算して該リソース係数を取得することができる。
【０１５４】
好ましくは、ネットワーク機器が該目標伝送ブロックを伝送するための第２リソースパラメータ及び第１ＴＢＳに基づき、第２ＴＢＳを確定することは、ネットワーク機器は、前記第２リソースパラメータ及び前記第１ＴＢＳに基づき、第３ＴＢＳを確定することと、ネットワーク機器は、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから第３ＴＢＳとの差分の絶対値の最も小さいＴＢＳを第２ＴＳＢとして確定することと、を含む。
【０１５５】
具体的には、いくつかの場合、データを伝送するための基本単位が固定されるため、伝送ブロックサイズがいくつかの固定値又は該固定値の整数倍であるように求められ、例えばデータ伝送がバイトを単位とし、１つのバイトが８ビット（ｂｉｔ）に等しく、従ってＴＢＳが８又は８の整数倍である必要がある。この時、端末装置はまず第２リソースパラメータ及び第１ＴＢＳに基づいて第３ＴＢＳを確定して、第３ＴＢＳに基づいて第２ＴＢＳを確定する必要がある。
【０１５６】
ネットワーク機器は前記第３ＴＢＳ以下であり、且つプリセット値の整数倍に等しいＴＢＳから、最大のＴＢＳを第２ＴＢＳとして確定し、又は第３ＴＢＳ以上であり、且つプリセット値の整数倍に等しいＴＢＳから、最小のＴＢＳを第２ＴＢＳとして確定し、又はプリセット値の整数倍に等しいＴＢＳから第３ＴＢＳとの差分の絶対値の最も小さいＴＢＳを第２ＴＳＢとして確定することができる。
【０１５７】
好ましくは、ネットワーク機器が第２リソースパラメータ及び第１ＴＢＳに基づき、第３ＴＢＳを確定することは、ネットワーク機器が第２リソースパラメータと第１リソースパラメータとの数値関係及び第１ＴＢＳに基づき、第３ＴＢＳを確定することを含む。
【０１５８】
好ましくは、ネットワーク機器が第２リソースパラメータ及び第１ＴＢＳに基づき、第３ＴＢＳを確定することは、ネットワーク機器が第２リソースパラメータ及びリソースパラメータとリソース係数とのマッピング関係に基づき、第２リソースパラメータに対応するリソース係数を確定することと、ネットワーク機器が第２リソースパラメータに対応するリソース係数に基づき、第１ＴＢＳに対してデータ処理を行って、第３ＴＢＳを得ることと、を含む。
【０１５９】
ネットワーク機器が該目標伝送ブロックを伝送するための第２リソースパラメータ及び第１ＴＢＳに基づいて第３ＴＢＳを確定する具体的な過程は、上記２４０における端末装置についての説明における方式１〜方式４の説明を参照してもよく、簡潔のため、ここで詳細な説明は省略する。
【０１６０】
３４０では、ネットワーク機器は第２ＴＢＳに基づき、端末へ該目標伝送ブロックを送信し、又は端末装置が第２ＴＢＳに基づいて送信した該目標伝送ブロックを受信する。
【０１６１】
具体的には、ネットワーク機器は現在の目標伝送ブロックを伝送するための第２ＴＢＳを確定した後、ネットワーク機器は該第２ＴＢＳに基づいて対応するサイズの目標伝送ブロックを生成して、端末装置へ該目標伝送ブロックを送信し、又は該第２ＴＢＳに基づいて端末装置から送信された目標伝送ブロックを受信することができる。
【０１６２】
本願の実施例において、ネットワーク機器はプリセットのリソースパラメータにおけるＴＢＳマッピング関係によって第１ＴＢＳを確定して、現在の伝送ブロックに用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、正方向互換性を容易に実現することでより広い伝送リソース範囲内に使用でき、例えばより広い時間領域リソース、周波数領域リソース又は伝送層の数に拡張する。
【０１６３】
図４は本願の実施例に係る端末装置４００の模式的なブロック図である。図４に示すように、該端末装置４００は確定ユニット４１０及び伝送ユニット４２０を備える。
【０１６４】
該確定ユニット４１０は、ネットワーク機器から送信された、現在の目標伝送ブロックを伝送するための変調符号化方式（ＭＣＳ）レベルを示す指示情報を受信することに用いられ、
該確定ユニット４１０は、更に、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定することに用いられ、前記ＴＢＳマッピング関係がＭＣＳレベルとＴＢＳとのマッピング関係を含み、
該確定ユニット４１０は、更に、前記目標伝送ブロックを伝送するための第２リソースパラメータと前記第１ＴＢＳとに基づき、第２ＴＢＳを確定することに用いられ、
該伝送ユニット４２０は、前記第２ＴＢＳに基づき、前記ネットワーク機器へ前記目標伝送ブロックを送信し、又は前記ネットワーク機器から送信された前記目標伝送ブロックを受信することに用いられる。
【０１６５】
従って、端末装置はプリセットのリソースパラメータにおけるＴＢＳマッピング関係によって第１ＴＢＳを確定して、現在の伝送ブロックに用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、端末装置の実現の複雑さがより低く、正方向互換性を容易に実現することでより広い伝送リソース範囲内に使用でき、例えばより広い時間領域リソース、周波数領域リソース又は伝送層の数に拡張する。
【０１６６】
好ましくは、確定ユニット４１０は、具体的に、前記第２リソースパラメータと前記第１リソースパラメータとの数値関係及び前記第１ＴＢＳに基づき、前記第２ＴＢＳを確定することに用いられる。
【０１６７】
好ましくは、前記確定ユニット４１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第２ＴＢＳを得ることに用いられる。
【０１６８】
好ましくは、前記確定ユニット４１０は、具体的に、前記第２リソースパラメータ及び前記第１ＴＢＳに基づき、第３ＴＢＳを確定し、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから、前記第３ＴＢＳとの差分の絶対値の最も小さいＴＢＳを前記第２ＴＳＢとして確定することに用いられる。
【０１６９】
好ましくは、前記確定ユニット４１０は、具体的に、前記第２リソースパラメータと前記第１リソースパラメータとの数値関係及び前記第１ＴＢＳに基づき、前記第３ＴＢＳを確定することに用いられる。
【０１７０】
好ましくは、前記確定ユニット４１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第３ＴＢＳを得ることに用いられる。
【０１７１】
好ましくは、前記第１リソースパラメータは第１時間領域リソースパラメータ、第１周波数領域リソースパラメータ、第１時間周波数リソースパラメータ及び第１伝送層の数のうちの少なくとも１つを含む。
【０１７２】
好ましくは、前記第２リソースパラメータは第２時間領域リソースパラメータ、第２周波数領域リソースパラメータ、第２時間周波数リソースパラメータ及び第２伝送層の数のうちの少なくとも１つを含む。
【０１７３】
好ましくは、前記第２時間領域リソースパラメータは前記目標伝送ブロックが伝送される際に用いた時間領域リソースユニットの数を含み、前記時間領域リソースユニットは、直交周波数分割多重ＯＦＤＭシンボル、スロット、ミニスロット又はサブフレームであり、前記第２周波数領域リソースパラメータは前記目標伝送ブロックが伝送される際に用いた周波数領域リソースユニットの数を含み、前記周波数領域リソースユニットは、サブキャリア、物理リソースブロックＰＲＢ、サブバンド又はキャリアであり、前記第２時間周波数リソースパラメータは前記目標伝送ブロックが伝送される際に用いた時間周波数リソースユニットＲＥの数を含み、前記第２伝送層の数は前記目標伝送ブロックがマッピングされる伝送層の数を含む。
【０１７４】
好ましくは、前記伝送ユニット４２０は、更に、確定ユニット４１０が現在の目標伝送ブロックを伝送するための変調符号化方式（ＭＣＳ）レベルを確定する前に、前記ネットワーク機器から送信された前記ＭＣＳレベルを示すための指示情報を受信することに用いられる。
【０１７５】
該端末装置４００は方法実施例における端末装置に対応してもよく、該端末装置の対応機能を実現することができ、簡潔のため、ここで詳細な説明は省略すると理解すべきである。
【０１７６】
図５は本願の実施例に係るネットワーク機器５００の模式的なブロック図である。図５に示すように、該ネットワーク機器５００は確定ユニット５１０及び伝送ユニット５２０を備える。
【０１７７】
該確定ユニット５１０は目標伝送ブロックを伝送するための変調符号化方式（ＭＣＳ）レベルを示す指示情報を端末装置に送信することに用いられ、
該確定ユニット５１０は、更に、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定することに用いられ、前記ＴＢＳマッピング関係がＭＣＳレベルとＴＢＳとのマッピング関係を含み、
該確定ユニット５１０は、更に、前記目標伝送ブロックを伝送するための第２リソースパラメータと前記第１ＴＢＳとに基づき、第２ＴＢＳを確定することに用いられ、
該伝送ユニット５２０は、前記第２ＴＢＳに基づき、前記端末へ前記目標伝送ブロックを送信し、又は前記端末装置が前記第２ＴＢＳに基づいて送信した前記目標伝送ブロックを受信することに用いられる。
【０１７８】
従って、ネットワーク機器はプリセットのリソースパラメータにおけるＴＢＳマッピング関係によって第１ＴＢＳを確定して、現在の伝送ブロックに用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、正方向互換性を容易に実現することでより広い伝送リソース範囲内に使用でき、例えばより広い時間領域リソース、周波数領域リソース又は伝送層の数に拡張する。
【０１７９】
好ましくは、前記確定ユニット５１０は、具体的に、前記第２リソースパラメータと前記第１リソースパラメータとの数値関係及び前記第１ＴＢＳに基づき、前記第２ＴＢＳを確定することに用いられる。
【０１８０】
好ましくは、前記確定ユニット５１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第２ＴＢＳを得ることに用いられる。
【０１８１】
好ましくは、前記確定ユニット５１０は、具体的に、前記第２リソースパラメータ及び前記第１ＴＢＳに基づき、第３ＴＢＳを確定し、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから、前記第３ＴＢＳとの差分の絶対値の最も小さいＴＢＳを前記第２ＴＳＢとして確定することに用いられる。
【０１８２】
好ましくは、前記確定ユニット５１０は、具体的に、前記第２リソースパラメータと前記第１リソースパラメータとの数値関係及び前記第１ＴＢＳに基づき、前記第３ＴＢＳを確定することに用いられる。
【０１８３】
好ましくは、前記確定ユニット５１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第３ＴＢＳを得ることに用いられる。
【０１８４】
好ましくは、前記第１リソースパラメータは第１時間領域リソースパラメータ、第１周波数領域リソースパラメータ、第１時間周波数リソースパラメータ及び第１伝送層の数のうちの少なくとも１つを含む。
【０１８５】
好ましくは、前記第２リソースパラメータは第２時間領域リソースパラメータ、第２周波数領域リソースパラメータ、第２時間周波数リソースパラメータ及び第２伝送層の数のうちの少なくとも１つを含む。
【０１８６】
好ましくは、前記第２時間領域リソースパラメータは前記目標伝送ブロックが伝送される際に用いた時間領域リソースユニットの数を含み、前記時間領域リソースユニットは直交周波数分割多重ＯＦＤＭシンボル、スロット又はミニスロットであり、前記第２周波数領域リソースパラメータは前記目標伝送ブロックが伝送される際に用いた周波数領域リソースユニットの数を含み、前記周波数領域リソースユニットはサブキャリア、物理リソースブロックＰＲＢ又はサブバンドであり、前記第２時間周波数リソースパラメータは前記目標伝送ブロックが伝送される際に用いた時間周波数リソースユニットＲＥの数を含み、前記第２伝送層の数は前記目標伝送ブロックがマッピングされる伝送層の数を含む。
【０１８７】
好ましくは、前記伝送ユニット５２０は、更に、前記ＭＣＳレベルを示すための指示情報を前記端末装置に送信することに用いられる。
【０１８８】
図６は本願の実施例に係る端末装置６００の模式的な構造図である。図６に示すように、該端末装置はプロセッサ６１０、送受信機６２０及びメモリ６３０を備え、該プロセッサ６１０、送受信機６２０及びメモリ６３０が内部接続回路によって互いに通信する。該メモリ６３０は命令を記憶することに用いられ、該プロセッサ６１０は該メモリ６３０に記憶される命令を実行することに用いられ、それにより該送受信機６２０が信号を受信し又は信号を送信するように制御する。
【０１８９】
該プロセッサ６１０は、現在の目標伝送ブロックを伝送するための変調符号化方式（ＭＣＳ）レベルを確定し、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定し、前記ＴＢＳマッピング関係がＭＣＳレベルとＴＢＳとのマッピング関係を含み、前記目標伝送ブロックを伝送するための第２リソースパラメータと前記第１ＴＢＳとに基づき、第２ＴＢＳを確定することに用いられ、
該送受信機６２０は、前記第２ＴＢＳに基づき、前記ネットワーク機器へ前記目標伝送ブロックを送信し、又は前記ネットワーク機器から送信された前記目標伝送ブロックを受信することに用いられる。
【０１９０】
従って、端末装置はプリセットのリソースパラメータにおけるＴＢＳマッピング関係によって第１ＴＢＳを確定して、現在の伝送ブロックに用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、端末装置の実現の複雑さがより低く、正方向互換性を容易に実現することでより広い伝送リソース範囲内に使用でき、例えばより広い時間領域リソース、周波数領域リソース又は伝送層の数に拡張する。
【０１９１】
好ましくは、プロセッサ６１０は、具体的に、前記第２リソースパラメータと前記第１リソースパラメータとの数値関係及び前記第１ＴＢＳに基づき、前記第２ＴＢＳを確定することに用いられる。
【０１９２】
好ましくは、プロセッサ６１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第２ＴＢＳを得ることに用いられる。
【０１９３】
好ましくは、プロセッサ６１０は、具体的に、前記第２リソースパラメータ及び前記第１ＴＢＳに基づき、第３ＴＢＳを確定し、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから、前記第３ＴＢＳとの差分の絶対値の最も小さいＴＢＳを前記第２ＴＳＢとして確定することに用いられる。
【０１９４】
好ましくは、プロセッサ６１０は、具体的に、前記第２リソースパラメータと前記第１リソースパラメータとの数値関係及び前記第１ＴＢＳに基づき、前記第３ＴＢＳを確定することに用いられる。
【０１９５】
好ましくは、プロセッサ６１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第３ＴＢＳを得ることに用いられる。
【０１９６】
好ましくは、前記第１リソースパラメータは第１時間領域リソースパラメータ、第１周波数領域リソースパラメータ、第１時間周波数リソースパラメータ及び第１伝送層の数のうちの少なくとも１つを含む。
【０１９７】
好ましくは、前記第２リソースパラメータは第２時間領域リソースパラメータ、第２周波数領域リソースパラメータ、第２時間周波数リソースパラメータ及び第２伝送層の数のうちの少なくとも１つを含む。
【０１９８】
好ましくは、前記第２時間領域リソースパラメータは前記目標伝送ブロックが伝送される際に用いた時間領域リソースユニットの数を含み、前記時間領域リソースユニットは直交周波数分割多重ＯＦＤＭシンボル、スロット又はミニスロットであり、前記第２周波数領域リソースパラメータは前記目標伝送ブロックが伝送される際に用いた周波数領域リソースユニットの数を含み、前記周波数領域リソースユニットはサブキャリア、物理リソースブロックＰＲＢ又はサブバンドであり、前記第２時間周波数リソースパラメータは前記目標伝送ブロックが伝送される際に用いた時間周波数リソースユニットＲＥの数を含み、前記第２伝送層の数は前記目標伝送ブロックがマッピングされる伝送層の数を含む。
【０１９９】
好ましくは、送受信機６２０は、更に、プロセッサ６１０が現在の目標伝送ブロックを伝送するための変調符号化方式（ＭＣＳ）レベルを確定する前に、前記ネットワーク機器から送信された前記ＭＣＳレベルを示すための指示情報を受信することに用いられる。
【０２００】
本願の実施例において、該プロセッサ６１０は中央処理装置（ＣＰＵ：Ｃｅｎｔｒａｌ  Ｐｒｏｃｅｓｓｉｎｇ  Ｕｎｉｔ）であってもよく、該プロセッサ６１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０２０１】
該メモリ６３０は読み出し専用メモリ及びランダムアクセスメモリを含んでもよく、且つプロセッサ６１０に命令及びデータを提供する。メモリ６３０の一部は更に不揮発性ランダムアクセスメモリを含んでもよい。例えば、メモリ６３０に更に装置タイプ情報が記憶されてもよい。
【０２０２】
実現過程において、上記方法の各ステップはプロセッサ６１０におけるハードウェアの集積論理回路又はソフトウェア形式の命令で完了してもよい。本願の実施例に開示される位置決め方法のステップはハードウェアプロセッサで実行して完了し、又はプロセッサ６１０におけるハードウェア及びソフトウェアモジュールの組み合わせで実行して完了すると直接具現されてもよい。ソフトウェアモジュールがランダムメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６３０に位置し、プロセッサ６１０がメモリ６３０における情報を読み取り、そのハードウェアと組み合わせて上記方法のステップを完了する。重複を避けるため、ここで詳細な説明は省略する。
【０２０３】
本願の実施例に係る端末装置６００は上記方法２００における方法２００を実行するための端末装置及び本願の実施例に係る端末装置４００に対応してもよく、且つ、該端末装置６００における各ユニット又はモジュールはそれぞれ上記方法２００における端末装置の実行した各動作又は処理過程を実行することに用いられ、ここで、重複を避けるため、詳細な説明は省略する。
【０２０４】
図７は本願の実施例に係るネットワーク機器７００の模式的な構造図である。図７に示すように、該ネットワーク機器はプロセッサ７１０、送受信機７２０及びメモリ７３０を備え、該プロセッサ７１０、送受信機７２０及びメモリ７３０が内部接続回路によって互いに通信する。該メモリ７３０は命令を記憶することに用いられ、該プロセッサ７１０は該メモリ７３０に記憶される命令を実行することに用いられ、それにより該送受信機７２０が信号を受信し又は信号を送信するように制御する。
【０２０５】
該プロセッサ７１０は、目標伝送ブロックを伝送するための変調符号化方式（ＭＣＳ）レベルを確定し、前記ＭＣＳレベルと、プリセットの第１リソースパラメータを満たすときの伝送ブロックサイズ（ＴＢＳ）マッピング関係とに基づき、前記ＭＣＳレベルに対応する第１ＴＢＳを確定し、前記ＴＢＳマッピング関係がＭＣＳレベルとＴＢＳとのマッピング関係を含み、前記目標伝送ブロックを伝送するための第２リソースパラメータと前記第１ＴＢＳとに基づき、第２ＴＢＳを確定することに用いられ、
該送受信機７２０は、前記第２ＴＢＳに基づき、前記端末へ前記目標伝送ブロックを送信し、又は前記端末装置が前記第２ＴＢＳに基づいて送信した前記目標伝送ブロックを受信することに用いられる。
【０２０６】
従って、ネットワーク機器はプリセットのリソースパラメータにおけるＴＢＳマッピング関係によって第１ＴＢＳを確定して、現在の伝送ブロックに用いたリソースパラメータ及び該第１ＴＢＳに基づいて現在の必要な伝送ブロックのサイズを確定することにより、データの伝送に用いたリソースパラメータの値範囲が広い状況において、データを伝送するためのＴＢＳの情報を効果的に取得することができる。且つ、正方向互換性を容易に実現することでより広い伝送リソース範囲内に使用でき、例えばより広い時間領域リソース、周波数領域リソース又は伝送層の数に拡張する。
【０２０７】
好ましくは、プロセッサ７１０は、具体的に、前記第２リソースパラメータと前記第１リソースパラメータとの数値関係及び前記第１ＴＢＳに基づき、前記第２ＴＢＳを確定することに用いられる。
【０２０８】
好ましくは、プロセッサ７１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第２ＴＢＳを得ることに用いられる。
【０２０９】
好ましくは、プロセッサ７１０は、具体的に、前記第２リソースパラメータ及び前記第１ＴＢＳに基づき、第３ＴＢＳを確定し、前記第３ＴＢＳ以下であり、且つプリセット値の整数倍に等しいＴＢＳから、最大のＴＢＳを前記第２ＴＢＳとして確定し、又は前記第３ＴＢＳ以上であり、且つプリセット値の整数倍に等しいＴＢＳから、最小のＴＢＳを前記第２ＴＢＳとして確定し、又はプリセット値の整数倍に等しいＴＢＳから、前記第３ＴＢＳとの差分の絶対値の最も小さいＴＢＳを前記第２ＴＳＢとして確定することに用いられる。
【０２１０】
好ましくは、プロセッサ７１０は、具体的に、前記第２リソースパラメータと前記第１リソースパラメータとの数値関係及び前記第１ＴＢＳに基づき、前記第３ＴＢＳを確定することに用いられる。
【０２１１】
好ましくは、プロセッサ７１０は、具体的に、前記第２リソースパラメータ及びリソースパラメータとリソース係数とのマッピング関係に基づき、前記第２リソースパラメータに対応するリソース係数を確定し、前記第２リソースパラメータに対応するリソース係数に基づき、前記第１ＴＢＳに対してデータ処理を行って、前記第３ＴＢＳを得ることに用いられる。
【０２１２】
好ましくは、前記第１リソースパラメータは第１時間領域リソースパラメータ、第１周波数領域リソースパラメータ、第１時間周波数リソースパラメータ及び第１伝送層の数のうちの少なくとも１つを含む。
【０２１３】
好ましくは、前記第２リソースパラメータは第２時間領域リソースパラメータ、第２周波数領域リソースパラメータ、第２時間周波数リソースパラメータ及び第２伝送層の数のうちの少なくとも１つを含む。
【０２１４】
好ましくは、前記第２時間領域リソースパラメータは前記目標伝送ブロックが伝送される際に用いた時間領域リソースユニットの数を含み、前記時間領域リソースユニットは直交周波数分割多重ＯＦＤＭシンボル、スロット又はミニスロットであり、前記第２周波数領域リソースパラメータは前記目標伝送ブロックが伝送される際に用いた周波数領域リソースユニットの数を含み、前記周波数領域リソースユニットはサブキャリア、物理リソースブロックＰＲＢ又はサブバンドであり、前記第２時間周波数リソースパラメータは前記目標伝送ブロックが伝送される際に用いた時間周波数リソースユニットＲＥの数を含み、前記第２伝送層の数は前記目標伝送ブロックがマッピングされる伝送層の数を含む。
【０２１５】
好ましくは、送受信機７２０は、更に、前記ＭＣＳレベルを示すための指示情報を前記端末装置に送信することに用いられる。
【０２１６】
本願の実施例において、該プロセッサ７１０は中央処理装置（ＣＰＵ：Ｃｅｎｔｒａｌ  Ｐｒｏｃｅｓｓｉｎｇ  Ｕｎｉｔ）であってもよく、該プロセッサ７１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０２１７】
該メモリ７３０は読み出し専用メモリ及びランダムアクセスメモリを含んでもよく、且つプロセッサ７１０に命令及びデータを提供する。メモリ７３０の一部は更に不揮発性ランダムアクセスメモリを含んでもよい。例えば、メモリ７３０に更に装置タイプ情報が記憶されてもよい。
【０２１８】
実現過程において、上記方法の各ステップはプロセッサ７１０におけるハードウェアの集積論理回路又はソフトウェア形式の命令で完了してもよい。本願の実施例に開示される位置決め方法のステップはハードウェアプロセッサで実行して完了し、又はプロセッサ７１０におけるハードウェア及びソフトウェアモジュールの組み合わせで実行して完了すると直接具現されてもよい。ソフトウェアモジュールがランダムメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ７３０に位置し、プロセッサ７１０がメモリ７３０における情報を読み取り、そのハードウェアと組み合わせて上記方法のステップを完了する。重複を避けるため、ここで詳細な説明は省略する。
【０２１９】
本願の実施例に係るネットワーク機器７００は上記方法３００における方法３００を実行するためのネットワーク機器及び本願の実施例に係るネットワーク機器５００に対応してもよく、且つ、該ネットワーク機器７００における各ユニット又はモジュールはそれぞれ上記方法３００におけるネットワーク機器の実行した各動作又は処理過程を実行することに用いられ、ここで、重複を避けるため、詳細な説明は省略する。
【０２２０】
図８は本願の実施例のシステムチップの模式的な構造図である。図８におけるシステムチップ８００は入力インターフェース８０１、出力インターフェース８０２、少なくとも１つのプロセッサ８０３、メモリ８０４を備え、前記入力インターフェース８０１、出力インターフェース８０２、前記プロセッサ８０３及びメモリ８０４が内部接続回路によって互いに接続される。前記プロセッサ８０３は前記メモリ８０４におけるコードを実行することに用いられる。
【０２２１】
好ましくは、前記コードが実行されるとき、前記プロセッサ８０３は方法実施例における端末装置の実行した方法を実現することができる。簡潔のため、ここで詳細な説明は省略する。
【０２２２】
好ましくは、前記コードが実行されるとき、前記プロセッサ８０３は方法実施例におけるネットワーク機器の実行した方法を実現することができる。簡潔のため、ここで詳細な説明は省略する。
【０２２３】
本願の様々な実施例において、上記各過程の番号の順位は実行順序の前後を意味せず、各過程の実行順序はその機能及び内部論理によって確定されるべきであり、本願の実施例の実施過程を制限するためのものではないと理解すべきである。
【０２２４】
当業者であれば、本明細書に開示される実施例を参照して説明した各例示的なユニット及びアルゴリズムステップは、電子ハードウェア、又はコンピュータソフトウェアと電子ハードウェアとの組み合わせで実現されてもよいと理解される。これらの機能をハードウェア又はソフトウェア方式で実行するかは、技術案の特定応用及び設計制約条件によって確定される。当業者は各特定応用に対して異なる方法で説明された機能を実現することができるが、このような実現は本願の範囲を超えると見なされるべきではない。
【０２２５】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０２２６】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２２７】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０２２８】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０２２９】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例における該方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０２３０】
以上は本願の具体的な実施形態であって、本願の実施例の保護範囲を制限するためのものではなく、当業者が本願の実施例に開示される技術的範囲内に容易に想到し得る変更や置換は、いずれも本願の保護範囲内に含まれるべきである。従って、本願の実施例の保護範囲は特許請求の範囲に準じるべきである。
【図１】
0006968889.tif 000009
【図２】
0006968889.tif 000010
【図３】
0006968889.tif 000011
【図４】
0006968889.tif 000012
【図５】
0006968889.tif 000013
【図６】
0006968889.tif 000014
【図７】
0006968889.tif 000015
【図８】
0006968889.tif 000016